(57)【要約】      （修正有）【課題】オペレータが、制御されて延長されたやり方で、一つの所望の温度帯を身体中核に、また、他の温度帯を身体の局所的ターゲット領域に、適用することを可能にする、システム例、装置例、及び方法例を提供する。【解決手段】身体の局所的ターゲット領域に灌流するために局所的灌流体外回路（ＬＰＥＣ）を使用し、全身的灌流体外回路（ＳＰＥＣ）を、身体に対して周辺に配置したループを使用して脈管構造の中核領域に結合し、制御手順により、身体の局所的ターゲット領域を、身体の中核の温度と異なる温度のパターンにする構成とする。【選択図】図４
2020073041.tif 000002
【特許請求の範囲】
【請求項１】
局所的又は広域的な虚血性発作や循環損傷に苦しむ患者のための処置手順の少なくとも部分のための身体の少なくとも部分の二つの異なった温度ゾーンを確立及び制御するための方法であって、前記方法が、
全身的灌流体外回路（ＳＰＥＣ）を、周辺に配置したループを用いて前記身体に結合するステップであって、前記ＳＰＥＣが、
脈管構造の内部を流れる血液に接触するためのＳＰＥＣ入力流れポート及びＳＰＥＣ出力流れポートと、
ＳＰＥＣポンプと、
ＳＰＥＣ熱交換器と、を含む、結合するステップと、
局所的灌流体外回路（ＬＰＥＣ）を、前記身体の局所的ターゲット領域に至る脈管構造の内部を流れる血液に結合するステップであって、前記ＬＰＥＣが、
前記脈管構造の内部を流れる血液に接触するためのＬＰＥＣ入力流れポート及びＬＰＥＣ出力流れポートであって、前記ＬＰＥＣ入力流れポートが前記身体の前記局所的ターゲット領域を灌流するために配設される、ＬＰＥＣ入力流れポート及びＬＰＥＣ出力流れポートと、
ＬＰＥＣポンプと、
ＬＰＥＣ熱交換器と、を含む、結合するステップと、
前記ＳＰＥＣによって灌流される前記身体の平均中核身体温度及び／又は平均体系温度を測定するために少なくとも一つのＳＰＥＣセンサを位置決めするステップと、
前記ＬＰＥＣによって灌流される前記局所的ターゲット領域の温度を測定するために少なくとも一つのＬＰＥＣセンサを位置決めするステップと、
少なくとも最小限の動作シーケンスの動作ステップを実行するステップと、
前記少なくとも一つのＬＰＥＣセンサ及び少なくとも一つのＳＰＥＣセンサの測定値を記録するため、及び、前記ＳＰＥＣ及びＬＰＥＣの血液流量及び熱交換器温度をそれぞれ独立して制御するために制御手順を実施するステップと、を含み、前記制御手順が、
前記ＳＰＥＣによって、前記ＳＰＥＣによって注入される前記血液の前記温度を制御させ、前記ＳＰＥＣ温度センサによって報告される温度測定値を調整させ、ターゲット中核身体温度範囲の範囲内にとどめさせ、また、
前記ＬＰＥＣによって、前記一つ以上のＬＰＥＣ温度センサが指定のターゲット領域温度値のパターンに従って温度測定値を報告するように、前記ターゲット領域に注入される前記血液の前記温度を制御させる、方法。
【請求項２】
前記局所的ターゲット領域は、脳である、請求項１に記載の方法。
【請求項３】
前記ＳＰＥＣは、血液酸素供給器を含む、請求項１に記載の方法。
【請求項４】
前記最小限の動作シーケンスは、前記ＳＰＥＣの動作のための第一の時間間隔を含み、前記第一の時間間隔のＳＰＥＣターゲット設定は、約３２℃から約３７℃の間のターゲット中核身体温度範囲内のＳＰＥＣ温度センサ測定値である、請求項１に記載の方法。
【請求項５】
前記最小限の動作シーケンスは、前記ＬＰＥＣの動作のための、前記第一の時間間隔に続く第二の時間間隔を含み、前記第二の時間間隔のＬＰＥＣターゲット設定は、約１０℃から約３２℃の間の局所的ターゲット温度範囲内のＬＰＥＣ温度センサ測定値である、請求項４に記載の方法。
【請求項６】
前記第二の時間間隔のＳＰＥＣターゲット設定は、前記中核を正常体温で又は約３５℃から約３７℃の間で管理するためのターゲット中核身体温度範囲内のＳＰＥＣ温度センサ測定値である、請求項５に記載の方法。
【請求項７】
前記指定のターゲット領域温度値のパターンは、前記ターゲット領域温度値を減らすための少なくとも一つの時間間隔の冷却、それに続く、前記ターゲット領域温度値を増やすための少なくとも一つの時間間隔の加温、を含む、請求項４に記載の方法。
【請求項８】
前記指定のターゲット領域温度値のパターンは、少なくとも第二の時間間隔を含み、前記ターゲット領域温度値は、約１０℃から約３０℃の間である、請求項４に記載の方法。
【請求項９】
前記ＬＰＥＣ入力流れポートは、左総頸動脈、右総頸動脈、又は、それらの場所の一方の下流の動脈、のいずれかに接触するように配設される、請求項１に記載の方法。
【請求項１０】
前記局所的ターゲット領域に向かって流れない前記ＬＰＥＣによって注入される血液の流れの割合を減らすために、クランプ、閉塞、又は部分的に閉塞するための手段を使用することを更に含む、請求項１に記載の方法。
【請求項１１】
前記ＳＰＥＣによって、前記ＳＰＥＣポンプでの流量を約１．０Ｌ／ｍｉｎ〜約５．０Ｌ／ｍｉｎの範囲内の値に設定させることを更に含む、請求項１に記載の方法。
【請求項１２】
前記ＬＰＥＣによって、前記ＳＰＥＣが前記身体の前記全身温度を調整するために使用された後の約１２時間又は約２４時間の範囲内で、前記血液の前記温度を前記ターゲット領域に制御させることを更に含む、請求項１に記載の方法。
【請求項１３】
前記ＳＰＥＣによって、前記血液の前記温度を増加させて、前記平均温度が約３２℃より下に下降するのを防止することを更に含む、請求項１に記載の方法。
【請求項１４】
前記ＬＰＥＣによって、前記ＬＰＥＣポンプでの流量を約１００ｍｌ／ｍｉｎ〜約５００ｍｌ／ｍｉｎの範囲内の値に設定させることを更に含む、請求項１に記載の方法。
【請求項１５】
前記制御手順は、自動制御システムによって実施され、したがって、ターゲット帯の設定後に、ＳＰＥＣ温度又はＬＰＥＣ温度の前記調整は、事前設定した時間的期間の間の必要な人的介入を伴わずに行われる、請求項１に記載の方法。
【請求項１６】
前記ＬＰＥＣ及び前記ＳＰＥＣに結合された少なくとも一つの処理ユニットを含む制御システムを使用することを更に含み、
前記ＳＰＥＣによって、前記一つ以上のＳＰＥＣ温度センサが約３２℃から約３７℃未満までの範囲内の平均温度を示すように、前記身体の前記全身温度を調整させ、また、
前記ＬＰＥＣによって、少なくとも一つのＬＰＥＣセンサが約３０℃より下の温度を示す時間間隔が存在するように、前記血液の前記温度を前記ターゲット領域に制御させる、請求項１に記載の方法。
【請求項１７】
前記制御システムは、プログラムされて、前記ＬＰＥＣによって、前記血液の前記温度を前記ターゲット領域に、自動的に又は手動入力に基づいて、制御させる、請求項１４に記載の方法。
【請求項１８】
局所的又は広域的な虚血性発作や循環損傷に苦しむ者の身体の少なくとも部分の二つの異なった温度ゾーンを確立及び制御するための方法であって、前記方法が、
全身的灌流体外回路（ＳＰＥＣ）を、周辺に配置したループを用いて結合するステップであって、
前記周辺に配置したループを用いて脈管構造の内部を流れる血液に接触するためのＳＰＥＣ入力流れポート及びＳＰＥＣ出力流れポートを結合することを含み、
前記ＳＰＥＣがＳＰＥＣポンプを更に含む、結合するステップと、
局所的灌流体外回路（ＬＰＥＣ）を、前記身体の局所的ターゲット領域を灌流するために前記身体の局所的ターゲット領域に至る脈管構造の内部を流れる血液に結合するステップであって、
前記身体の局所的ターゲット領域に至る脈管構造の内部を流れる血液に接触するためのＬＰＥＣ入力流れポート及びＬＰＥＣ出力流れポートを結合することを含み、
前記ＬＰＥＣが、
ＬＰＥＣポンプと、
前記局所的灌流のために前記身体の前記局所的ターゲット領域に戻る前記血液の温度を制御するためのＬＰＥＣ熱交換器と、を更に含む、結合するステップと、
前記身体に結合される一つ以上のＳＰＥＣ温度センサを用いて、前記ＳＰＥＣによって灌流される前記身体の平均中核身体温度及び／又は平均体系温度を決定するステップと、  前記局所的ターゲット領域に結合される一つ以上のＬＰＥＣ温度センサを用いて、前記局所的ターゲット領域の内部の温度を検出するステップと、を含み、
制御システムは、前記ＬＰＥＣ及び前記ＳＰＥＣに結合される少なくとも一つの処理ユニットを含み、
前記一つ以上のＳＰＥＣ温度センサ及び／又は前記一つ以上のＬＰＥＣ温度センサでの温度測定値を表すデータを受け取り、
前記ＳＰＥＣによって、前記一つ以上のＳＰＥＣ温度センサが約３２℃から約３７℃未満までの範囲内の平均温度を示すように、前記受け取ったデータに基づいて前記身体の前記全身温度を調整させ、また、
前記ＬＰＥＣによって、前記一つ以上のＬＰＥＣ温度センサが約３０℃より下の温度を示すように、前記受け取ったデータに基づいて前記血液の前記温度を前記ターゲット領域に制御させ、
前記制御システムは、プログラムされて、前記ＬＰＥＣポンプ及びＬＰＥＣ熱交換器での流量及び温度を前記ＳＰＥＣポンプでの流量から独立して設定するためにプログラムされる、方法。
【請求項１９】
前記制御システムを用いて、前記ＳＰＥＣによって、前記ＳＰＥＣポンプでの流量を約１．０Ｌ／ｍｉｎ〜約５．０Ｌ／ｍｉｎの範囲内の値に設定させることを更に含む、請求項１８に記載の方法。
【請求項２０】
前記制御システムを用いて、前記ＬＰＥＣによって、前記ＳＰＥＣが前記身体の前記全身温度を調整するために使用された後の約１２時間又は約２４時間の範囲内で、前記血液の前記温度を前記ターゲット領域に制御させることを更に含む、請求項１８に記載の方法。
【請求項２１】
前記制御システムを用いて、前記ＳＰＥＣによって、前記血液の前記温度を増加させて、前記平均温度が約３２℃より下に下降するのを防止することを更に含む、請求項１８に記載の方法。
【請求項２２】
前記制御システムを用いて、前記ＬＰＥＣによって、前記ＬＰＥＣポンプでの流量を約１００ｍｌ／ｍｉｎ〜約５００ｍｌ／ｍｉｎの範囲内の値に設定させることを更に含む、請求項１８に記載の方法。
【請求項２３】
前記制御システムを用いて、前記ＬＰＥＣによって、前記血液の前記温度を約１０℃から約３０℃の範囲内の値まで冷却させることを更に含む、請求項１８に記載の方法。
【請求項２４】
身体の局所的ターゲット領域を灌流するための局所的灌流体外回路（ＬＰＥＣ）であって、
ＬＰＥＣ入力流れポートと、
ＬＰＥＣ出力流れポートであって、前記ＬＰＥＣ入力流れポート及び前記ＬＰＥＣ出力流れポートが前記身体の前記局所的ターゲット領域に至る脈管構造の内部を流れる血液に接触する、ＬＰＥＣ出力流れポートと、
ＬＰＥＣポンプと、
前記局所的灌流のために前記身体の前記局所的ターゲット領域に戻る前記血液の温度を制御するためのＬＰＥＣ熱交換器と、を含む局所的灌流体外回路（ＬＰＥＣ）と、
ＳＰＥＣ入力流れポートと、
ＳＰＥＣ出力流れポートであって、前記ＳＰＥＣ入力流れポート及び前記ＳＰＥＣ出力流れポートが周辺に配置したループを介して脈管構造の内部を流れる血液に接触する、ＳＰＥＣ出力流れポートと、
ＳＰＥＣポンプと、を含む全身的灌流体外回路（ＳＰＥＣ）と、
前記ＳＰＥＣによって灌流される前記身体の平均中核身体温度及び／又は平均体系温度を示すために、前記身体に結合される一つ以上のＳＰＥＣ温度センサと、
前記ターゲット領域の内部の温度を示すために、前記身体の前記局所的ターゲット領域に結合される一つ以上のＬＰＥＣ温度センサと、
前記ＳＰＥＣによって、前記ＳＰＥＣによって注入される前記血液の前記温度を制御させ、前記ＳＰＥＣ温度センサによって報告される温度測定値を調整させ、ターゲット中核身体温度範囲の範囲内にとどめさせること、また、
前記ＬＰＥＣによって、前記一つ以上のＬＰＥＣ温度センサが指定のターゲット領域温度値のパターンに従って温度測定値を報告するように、前記ターゲット領域に注入される前記血液の前記温度を制御させること、
を含む制御手順を実行するためにプログラムされる制御システムと、
を含むサポートを提供するためのシステム。
【請求項２５】
前記指定のターゲット領域温度値のパターンは、制御された加温ルーチン、温度安定状態ルーチン、又は、温度値の帯、を含む、請求項２４に記載のシステム。
【請求項２６】
前記指定のターゲット領域温度値のパターンは、約１０℃から約３２℃の間の局所的ターゲット温度範囲内のＬＰＥＣ温度センサ測定値を指定する、請求項２４に記載のシステム。
【請求項２７】
前記指定のターゲット領域温度値のパターンは、前記ターゲット領域温度値を増やすための少なくとも一つの時間間隔の加温、それに続く、前記ターゲット領域温度値を減らすための少なくとも一つの時間間隔の冷却、を含む局所的ターゲット温度範囲内にある、請求項２４に記載のシステム。
【請求項２８】
前記制御システムは、プログラムされて、前記ＬＰＥＣによって、前記血液の前記温度を前記ターゲット領域に、自動的に又は手動入力に基づいて、制御させる、請求項２４に記載のシステム。
【請求項２９】
前記局所的ターゲット領域は、脳である、請求項２４に記載のシステム。
【請求項３０】
前記ＬＰＥＣ入力ポートは、左総頸動脈、右総頸動脈、又は、それらの場所の一方の下流の動脈、のいずれかに接触するように配設される、請求項２４に記載のシステム。
【請求項３１】
前記ＬＰＥＣは、前記局所的ターゲット領域に向かって流れない前記ＬＰＥＣによって注入される血液の流れの割合を減らすために、クランプ、閉塞、又は部分的に閉塞するための手段を更に含む、請求項２４に記載のシステム。
【請求項３２】
前記全身的灌流回路は、救急体外式膜型酸素供給法サポートである、請求項２４に記載のシステム。
【請求項３３】
前記制御システムは、プログラムされて、前記ＳＰＥＣポンプでの流量を約１．０Ｌ／ｍｉｎ〜約５．０Ｌ／ｍｉｎの範囲内の値に設定する、請求項３２に記載のシステム。
【請求項３４】
前記一つ以上のＳＰＥＣ温度センサは、膀胱温度センサ及び／又は直腸温度センサを含む、請求項２４に記載のシステム。
【請求項３５】
前記制御システムは、プログラムされて、前記一つ以上のＳＰＥＣ温度センサの前記温度測定値及び／又は前記一つ以上のＳＰＥＣ温度センサの前記温度測定値が、前記制御手順に従って設定範囲の外側の温度値を示す場合に、アラーム表示を引き起こす、請求項２４に記載のシステム。
【請求項３６】
前記制御システムは、更にプログラムされて、前記ＳＰＥＣによって、前記血液の前記温度を増加させて、前記平均温度が約３２℃より下に下降するのを防止する、請求項２４に記載のシステム。
【請求項３７】
前記制御システムは、プログラムされて、前記ＬＰＥＣポンプでの流量を約１００ｍｌ／ｍｉｎ〜約５００ｍｌ／ｍｉｎの範囲内の値に設定する、請求項２４に記載のシステム。
【請求項３８】
前記制御システムは、プログラムされて、前記ＬＰＥＣによって、前記血液の前記温度を約１０℃から約３０℃の範囲内の値まで冷却させる、請求項２４に記載のシステム。
【請求項３９】
前記周辺に配置したループを介して前記脈管構造に戻る前記血液の前記温度を制御するためのＳＰＥＣ熱交換器を更に含み、前記制御システムは、プログラムされて、前記ＳＰＥＣ熱交換器での温度を前記ＬＰＥＣから独立して設定する、請求項２４に記載のシステム。
【請求項４０】
局所的又は広域的な虚血性発作や循環損傷に苦しむ患者のための処置手順の少なくとも部分のための身体の少なくとも部分の二つの異なった温度ゾーンを確立及び制御するための方法であって、前記方法が、
全身的灌流体外回路（ＳＰＥＣ）を、周辺に配置したループを用いて前記身体に結合するステップであって、前記ＳＰＥＣが、
脈管構造の内部を流れる血液に接触するためのＳＰＥＣ入力流れポート及びＳＰＥＣ出力流れポートと、
ＳＰＥＣポンプと、
ＳＰＥＣ熱交換器と、を含む、結合するステップと、
局所的灌流体外回路（ＬＰＥＣ）を、脳に至る脈管構造の内部を流れる血液に結合するステップであって、前記ＬＰＥＣが、
前記脈管構造の内部を流れる血液に接触するためのＬＰＥＣ入力流れポート及びＬＰＥＣ出力流れポートであって、前記入力ポートが脳を灌流する目的で左又は右のいずれかの側の総頸動脈又は内頸動脈に位置する、ＬＰＥＣ入力流れポート及びＬＰＥＣ出力流れポートと、
ＬＰＥＣポンプと、
ＬＰＥＣ熱交換器と、を含む、結合するステップと、
前記ＳＰＥＣによって灌流される前記身体の平均中核身体温度及び／又は平均体系温度を測定するために少なくとも一つのＳＰＥＣセンサを位置決めするステップと、
前記ＬＰＥＣによって灌流される前記局所的ターゲット領域の温度を測定するために少なくとも一つのＬＰＥＣセンサを位置決めするステップと、
少なくとも最小限の動作シーケンスの動作ステップを、少なくとも前記最小限の動作シーケンスの各段階に適切な前記ＬＰＥＣ及びＳＰＥＣのためのターゲット設定で、実行するステップと、
前記少なくとも一つのＬＰＥＣセンサ及び少なくとも一つのＳＰＥＣセンサの測定値を記録するため、及び、前記ＳＰＥＣ及びＬＰＥＣの血液流量及び熱交換器温度をそれぞれ独立して制御するために制御手順を実施するステップと、を含み、
前記制御手順は、
前記ＳＰＥＣによって、前記ＳＰＥＣによって注入される前記血液の前記温度を制御させ、前記ＳＰＥＣ温度センサによって報告される温度を調整させ、各段階のターゲット中核身体温度範囲の範囲内にとどめさせ、また、
前記ＬＰＥＣによって、前記一つ以上のＬＰＥＣ温度センサが、前記ＬＰＥＣが動作中である少なくとも前記最小限の動作シーケンスの各段階のためのターゲット領域温度範囲の範囲内の温度測定値を報告するように、前記ターゲット領域に注入される前記血液の前記温度を制御させ、
前記最小限の動作シーケンスは、段階１を含み、段階１のＳＰＥＣターゲット設定は、約３２℃から約３７℃の間のターゲット中核身体温度範囲内のＳＰＥＣ温度センサ測定値であり、
前記最小限の動作シーケンスは、段階１の後の段階２を含み、段階２のＬＰＥＣターゲット設定は、時間間隔を含み、ＬＰＥＣ温度センサ測定値は、約１０℃から約３２℃の間の局所的ターゲット温度範囲内である、方法。
【請求項４１】
前記局所的ターゲット温度範囲は、約２０℃から約３０℃の間である、請求項４０に記載の方法。
【請求項４２】
段階２のＳＰＥＣターゲット設定は、前記中核を正常体温で又は約３５℃から約３７℃の間で管理するためのターゲット中核身体温度範囲内のＳＰＥＣ温度センサ測定値である、請求項４０に記載の方法。
【請求項４３】
前記局所的ターゲット領域に向かって流れない前記ＬＰＥＣによって注入される血液の流れの割合を減らすために、クランプ、閉塞、又は部分的に閉塞するための手段を使用することを更に含む、請求項４０に記載の方法。
【請求項４４】
前記ＳＰＥＣによって、前記ＳＰＥＣポンプでの流量を約１．０Ｌ／ｍｉｎ〜約５．０Ｌ／ｍｉｎの範囲内の値に設定させることを更に含む、請求項４０に記載の方法。
【請求項４５】
前記ＬＰＥＣによって、前記ＳＰＥＣが前記身体の前記全身温度を調整するために使用された後の約１２時間又は約２４時間の範囲内で、前記血液の前記温度を前記ターゲット領域に制御させることを更に含む、請求項４０に記載の方法。
【請求項４６】
前記ＳＰＥＣによって、前記血液の前記温度を増加させて、前記平均温度が約３２℃より下に下降するのを防止することを更に含む、請求項４０に記載の方法。
【請求項４７】
前記ＬＰＥＣによって、前記ＬＰＥＣポンプでの流量を約１００ｍｌ／ｍｉｎ〜約５００ｍｌ／ｍｉｎの範囲内の値に設定させることを更に含む、請求項４０に記載の方法。
【請求項４８】
前記制御手順は、自動制御システムによって実施され、したがって、ターゲット帯の設定後に、ＳＰＥＣ温度又はＬＰＥＣ温度の前記調整は、事前設定した時間的期間の間の必要な人的介入を伴わずに行われる、請求項４０に記載の方法。
【請求項４９】
局所的又は広域的な虚血性発作や循環損傷に苦しむ患者のための処置手順の少なくとも部分のための身体の少なくとも部分の二つの異なった温度ゾーンを確立及び制御するためのシステムであって、前記システムが、
脈管構造の内部を流れる血液に接触するためのＳＰＥＣ入力流れポート及びＳＰＥＣ出力流れポートと、
ＳＰＥＣポンプと、
ＳＰＥＣ熱交換器と、を含み、
周辺に配置したループを用いて前記身体に結合される全身的灌流体外回路（ＳＰＥＣ）と、
前記脈管構造の内部を流れる血液に接触するためのＬＰＥＣ入力流れポート及びＬＰＥＣ出力流れポートであって、前記入力ポートが脳を灌流する目的で左又は右のいずれかの側の総頸動脈又は内頸動脈に位置する、ＬＰＥＣ入力流れポート及びＬＰＥＣ出力流れポートと、
ＬＰＥＣポンプと、
ＬＰＥＣ熱交換器と、を含み、
血液を流すために脳に先導する脈管構造に結合される局所的灌流体外回路（ＬＰＥＣ）と、
前記ＳＰＥＣによって灌流される前記身体の平均中核身体温度及び／又は平均体系温度を測定するために位置決めされる少なくとも一つのＳＰＥＣセンサと、
前記ＬＰＥＣによって灌流される前記脳の温度を測定するために位置決めされる少なくとも一つのＬＰＥＣセンサと、
動作コンソールであって、
前記ＳＰＥＣ熱交換器を駆動するためのＳＰＥＣウォータチラー／ヒータと、
前記ＬＰＥＣ熱交換器を駆動するためのＬＰＥＣウォータチラー／ヒータと、
前記少なくとも一つのＳＰＥＣセンサ及び／又は前記少なくとも一つのＬＰＥＣセンサの少なくとも一つの測定値を記録するための少なくとも一つのセンサインターフェースと、
グラフィックユーザインターフェースと、を含む動作コンソールと、
を含み、
前記グラフィックユーザインターフェースは、少なくとも最小限の動作シーケンスの動作ステップの、少なくとも前記最小限の動作シーケンスの各段階に適切な前記ＬＰＥＣ及びＳＰＥＣのためのターゲット設定での実施のためにユーザ命令を表示するように構成され、
前記動作コンソールは、前記ＬＰＥＣ及びＳＰＥＣを制御し、制御手順の実施のための命令を実行して、前記少なくとも一つのＬＰＥＣセンサ及び少なくとも一つのＳＰＥＣセンサの測定値を記録すると共に前記ＳＰＥＣ及びＬＰＥＣの血液流量及び熱交換器温度をそれぞれ独立して制御し、
前記制御手順は、
前記ＳＰＥＣによって、前記ＳＰＥＣによって注入される前記血液の前記温度を制御させ、前記ＳＰＥＣ温度センサによって報告される温度測定値を調整させ、各段階の中核身体ターゲット範囲の範囲内にとどめさせ、また、
前記ＬＰＥＣによって、前記一つ以上のＬＰＥＣ温度センサが、前記ＬＰＥＣが動作中である少なくとも前記最小限の動作シーケンスの各段階のためのターゲット領域温度範囲の範囲内の温度測定値を報告するように、前記ターゲット領域に注入される前記血液の前記温度を制御させ、
前記最小限の動作シーケンスは、段階１を含み、段階１のＳＰＥＣターゲット設定は、約３２℃から約３７℃の間のターゲット中核身体温度範囲内のＳＰＥＣ温度センサ測定値であり、
前記最小限の動作シーケンスは、段階１の後の段階２を含み、段階２のＬＰＥＣターゲット設定は、時間間隔を含み、ＬＰＥＣ温度センサ測定値は、約１０℃から約３２℃の間の局所的ターゲット温度範囲内である、システム。
【請求項５０】
前記ＳＰＥＣウォータチラー／ヒータ、及び／又は、前記ＬＰＥＣウォータチラー／ヒータの利用可能なチラー容量は、約１０Ｌ／ｍｉｎより大きい、請求項４９に記載のシステム。
【請求項５１】
前記オペレータコンソールは、約１００ｍｌ／ｍｉｎ〜約５００ｍｌ／ｍｉｎの割合で前記ＬＰＥＣのためにポンプ送り可能なポンプを更に含む、請求項４９に記載のシステム。
【請求項５２】
前記ＬＰＥＣは、前記局所的ターゲット領域に向かって流れない前記ＬＰＥＣによって注入される血液の流れの割合を減らすために、クランプ、閉塞、又は部分的に閉塞するための手段を更に含む、請求項４９に記載のシステム。
【請求項５３】
前記全身的灌流回路は、救急体外式膜型酸素供給法サポートである、請求項４９に記載のシステム。
【請求項５４】
前記少なくとも一つのＳＰＥＣ温度センサは、膀胱温度センサ及び／又は直腸温度センサを含む、請求項４９に記載のシステム。
【請求項５５】
前記ユーザ命令は、命令を含み、前記ＬＰＥＣによって、前記ＳＰＥＣが前記身体の前記全身温度を調整するために使用された後の約１２時間又は約２４時間の範囲内で、前記血液の前記温度を前記ターゲット領域に制御させる、請求項４９に記載のシステム。
【発明の詳細な説明】
【技術分野】
【０００１】
体外サポートのためのシステム及び方法に関する。
【背景技術】
【０００２】
低体温（低い中核体温）は、多くの状況で有害になる場合があるが、幾つかの治療的な利点を提供することが見出された。したがって、治療的低体温として意図的に誘導される場合がある。例えば、心筋梗塞及び心臓手術の場面における心停止の期間は、脳損傷や他の神経損傷を引き起こす場合がある。医学界では、低体温は、心臓血管手術中の容認された神経保護剤と考えられている。患者は、心臓血管手術中に誘導された低体温の状態に維持される場合がある。低体温は、同じく神経外科手術中の神経保護剤と時々誘導される。治療的低体温は、虚血性創傷及び他の創傷から組織損傷の影響を防止又は軽減するために有利に使用される場合がある。例えば、虚血性創傷に続く組織損傷は、虚血の発症で始まって、血液の流れが復位した後の再灌流段階の全体にわたって続く場合がある。前臨床研究及び臨床研究は共に、再灌流段階が数時間から数日続く場合があり、しかも、治療的低体温がその段階の創傷の多くを阻止するために有利に使用される場合がある、という知見を支持している。
【発明の概要】
【発明が解決しようとする課題】
【０００３】
心停止（広域的虚血）のケースでは、治療的低体温は、神経保護の目的に関するケアの標準と考えられる。標準プロトコルの下では、全身低体温は、血行の回復後の約１２〜約２４時間の間に中核体温を３２℃から３５℃の間まで下げることによって実行される場合がある。しかしながら、全身低体温は、おびただしい問題点をもたらす。患者の全身温度を低下させることは、相当な量の時間が掛かるだけでなく、心臓不整脈、凝固問題、感染症に対する感染し易さの増加、及び、深刻な震えなどの不快な問題、を含む低体温の有害な副作用に患者をさらす場合もある。これらの副作用を償うことは、それ自体のリスク又はネガティブな副作用を有する薬理療法を必要とする場合もある。
【課題を解決するための手段】
【０００４】
本開示は、オペレータが、制御されて延長されたやり方で、一つの所望の温度帯を身体中核に、また、他の温度帯を身体の局所的ターゲット領域に、適用するのを可能にする、システム例、装置例、及び方法例を提供する。本開示の技術は、局所的又は広域的な虚血性発作や循環損傷に苦しむ患者に適用可能である。
【０００５】
システム例、方法例、及び装置例は、局所的又は広域的な虚血性発作や循環損傷に苦しむ患者のための処置手順の少なくとも部分のための身体の少なくとも部分の二つの異なった温度ゾーンを確立及び制御するために提供される。方法例は、全身的灌流体外回路（ＳＰＥＣ）を、周辺に配置したループを用いて身体に結合することと、局所的灌流体外回路（ＬＰＥＣ）を、身体の局所的ターゲット領域に至る脈管構造の内部を流れる血液に結合することと、を含む。ＳＰＥＣは、脈管構造の内部を流れる血液に接触するためのＳＰＥＣ入力流れポート及びＳＰＥＣ出力流れポートと、ＳＰＥＣポンプと、ＳＰＥＣ熱交換器と、を含む。ＬＰＥＣは、ＬＰＥＣ入力流れポートが身体の局所的ターゲット領域を灌流するために配設される、脈管構造の内部を流れる血液に接触するためのＬＰＥＣ入力流れポート及びＬＰＥＣ出力流れポートと、ＬＰＥＣポンプと、ＬＰＥＣ熱交換器と、を含む。方法例は、ＳＰＥＣによって灌流される身体の平均中核身体温度及び／又は平均体系温度を測定するために少なくとも一つのＳＰＥＣセンサを位置決めすることと、ＬＰＥＣによって灌流される局所的ターゲット領域の温度を測定するために少なくとも一つのＬＰＥＣセンサを位置決めすることと、少なくとも最小限の動作シーケンスの動作ステップを実行することと、少なくとも一つのＬＰＥＣセンサ及び少なくとも一つのＳＰＥＣセンサの測定値を記録するため、及び、ＳＰＥＣ及びＬＰＥＣの血液流量及び熱交換器温度をそれぞれ独立して制御するために制御手順を実施することと、を含む。制御手順は、ＳＰＥＣによって、ＳＰＥＣによって注入される血液の温度を制御させ、ＳＰＥＣ温度センサによって報告される温度測定値を調整させ、ターゲット中核身体温度範囲の範囲内にとどめさせ、また、ＬＰＥＣによって、一つ以上のＬＰＥＣ温度センサが指定のターゲット領域温度値のパターンに従って温度測定値を報告するように、ターゲット領域に注入される血液の温度を制御させる。
【０００６】
任意の例では、局所的ターゲット領域は、脳である。
【０００７】
ＳＰＥＣは、血液酸素供給器を含む場合がある。
【０００８】
例では、最小限の動作シーケンスは、ＳＰＥＣの動作のための第一の時間間隔を含む場合があり、第一の時間間隔のＳＰＥＣターゲット設定は、約３２℃から約３７℃の間のターゲット中核身体温度範囲内のＳＰＥＣ温度センサ測定値である。最小限の動作シーケンスは、ＬＰＥＣの動作のための、第一の時間間隔に続く第二の時間間隔を更に含む場合があり、第二の時間間隔のＬＰＥＣターゲット設定は、約１０℃から約３２℃の間の局所的ターゲット温度範囲内のＬＰＥＣ温度センサ測定値である。第二の時間間隔のＳＰＥＣターゲット設定は、中核を正常体温で又は約３５℃から約３７℃の間で管理するためのターゲット中核身体温度範囲内のＳＰＥＣ温度センサ測定値である場合がある。例では、指定のターゲット領域温度値のパターンは、ターゲット領域温度値を減らすための少なくとも一つの時間間隔の冷却、それに続く、ターゲット領域温度値を増やすための少なくとも一つの時間間隔の加温、を含む。指定のターゲット領域温度値のパターンは、少なくとも第二の時間間隔を含む場合があり、ターゲット領域温度値は、約１０℃から約３０℃の間である。
【０００９】
本明細書中の原理に従ったシステム例、方法例、及び装置例は、サポートも提供する。システム例は、身体の局所的ターゲット領域を灌流するためのＬＰＥＣと、ＳＰＥＣと、制御手順を実行するためにプログラムされる制御システムと、を含む。ＬＰＥＣは、ＬＰＥＣ入力流れポートと、ＬＰＥＣ出力流れポートであって、ＬＰＥＣ入力流れポート及びＬＰＥＣ出力流れポートが身体の局所的ターゲット領域に至る脈管構造の内部を流れる血液に接触する、ＬＰＥＣ出力流れポートと、ＬＰＥＣポンプと、局所的灌流のために身体の局所的ターゲット領域に戻る血液の温度を制御するためのＬＰＥＣ熱交換器と、を含む。ＳＰＥＣは、ＳＰＥＣ入力流れポートと、ＳＰＥＣ出力流れポートであって、ＳＰＥＣ入力流れポート及びＳＰＥＣ出力流れポートが周辺に配置したループを介して脈管構造の内部を流れる血液に接触する、ＳＰＥＣ出力流れポートと、ＳＰＥＣポンプと、を含む。システムは、ＳＰＥＣによって灌流される身体の平均中核身体温度及び／又は平均体系温度を示すために、身体に結合される一つ以上のＳＰＥＣ温度センサと、ターゲット領域の内部の温度を示すために、身体の局所的ターゲット領域に結合される一つ以上のＬＰＥＣ温度センサと、を更に含む。制御システムは、ＳＰＥＣによって、ＳＰＥＣによって注入される血液の温度を制御させ、ＳＰＥＣ温度センサによって報告される温度測定値を調整させ、ターゲット中核身体温度範囲の範囲内にとどめさせることと、ＬＰＥＣによって、一つ以上のＬＰＥＣ温度センサが指定のターゲット領域温度値のパターンに従って温度測定値を報告するように、ターゲット領域に注入される血液の温度を制御させることと、を含む制御手順を実行するためにプログラムされる。
【００１０】
例では、指定のターゲット領域温度値のパターンは、制御された加温ルーチン、温度安定状態ルーチン、又は、温度値の指定帯、を含む場合がある。
【００１１】
例では、指定のターゲット領域温度値のパターンは、約１０℃から約３２℃の間の局所的ターゲット温度範囲内のＬＰＥＣ温度センサ測定値を指定する。
【００１２】
例では、指定のターゲット領域温度値のパターンは、ターゲット領域温度値を増やすための少なくとも一つの時間間隔の加温、それに続く、ターゲット領域温度値を減らすための少なくとも一つの時間間隔の冷却、を含む局所的ターゲット温度範囲内にある。
【００１３】
例では、制御システムは、プログラムされて、ＬＰＥＣによって、血液の温度をターゲット領域に、自動的に又は手動入力に基づいて、制御させる。
【００１４】
本明細書中のシステム例、方法例、及び装置例は、周辺に配置したループを用いて身体に結合されるＳＰＥＣと、血液を流すために脳に先導する脈管構造に結合されるＬＰＥＣと、ＳＰＥＣによって灌流される身体の平均中核身体温度及び／又は平均体系温度を測定するために位置決めされる少なくとも一つのＳＰＥＣセンサと、ＬＰＥＣによって灌流される脳の温度を測定するために位置決めされる少なくとも一つのＬＰＥＣセンサと、動作コンソールと、を含む場合がある。ＬＰＥＣは、脈管構造の内部を流れる血液に接触するためのＬＰＥＣ入力流れポート及びＬＰＥＣ出力流れポートを含み、入力ポートが、脳を灌流する目的で左又は右のいずれかの側の総頸動脈又は内頸動脈に位置する。動作コンソールは、ＳＰＥＣ熱交換器を駆動するためのＳＰＥＣウォータチラー／ヒータと、ＬＰＥＣ熱交換器を駆動するためのＬＰＥＣウォータチラー／ヒータと、少なくとも一つのＳＰＥＣセンサ及び／又は少なくとも一つのＬＰＥＣセンサの少なくとも一つの測定値を記録するための少なくとも一つのセンサインターフェースと、グラフィックユーザインターフェースと、を含む。グラフィックユーザインターフェースは、少なくとも最小限の動作シーケンスの動作ステップの、少なくとも最小限の動作シーケンスの各段階に適切な前記ＬＰＥＣ及びＳＰＥＣのためのターゲット設定での実施のためにユーザ命令を表示するように構成される。動作コンソールは、制御手順の実施のための命令を実行して、少なくとも一つのＬＰＥＣセンサ及び少なくとも一つのＳＰＥＣセンサの測定値を記録すると共にＳＰＥＣ及びＬＰＥＣの血液流量及び熱交換器温度をそれぞれ独立して制御し、制御手順は、ＳＰＥＣによって、ＳＰＥＣによって注入される血液の温度を制御させ、ＳＰＥＣ温度センサによって報告される温度測定値を調整させ、各段階の中核身体温度ターゲット範囲の範囲内にとどめさせ、また、ＬＰＥＣによって、一つ以上のＬＰＥＣ温度センサが、ＬＰＥＣが動作中である少なくとも最小限の動作シーケンスの各段階のためのターゲット領域温度範囲の範囲内の温度測定値を報告するように、ターゲット領域に注入される血液の温度を制御させる。
【００１５】
例では、最小限の動作シーケンスは、ＳＰＥＣターゲット設定が約３２℃から約３７℃の間のターゲット中核身体温度範囲内のＳＰＥＣ温度センサ測定値である、段階１と、ＬＰＥＣターゲット設定が時間間隔を含み、ＬＰＥＣ温度センサ測定値が約１０℃から約３２℃の間の局所的ターゲット温度範囲内である、（段階１の後の）段階２と、を含む。
【００１６】
理解すべきことは、前述の概念及び下で一段と詳細に論述する付加的な概念の全ての組み合わせ（そういった概念が相互に矛盾していないという条件で）が、本明細書で開示される本発明の主題の一部であると予定される、ということである。特に、本開示の最後に現出する権利請求した主題の全ての組み合わせは、本明細書で開示される本発明の主題の一部であると予定される。同じく理解すべきことは、参照によって組み込まれる任意の開示内容に現出するかもしれない本明細書で明白に採用されている専門用語が、本明細書に開示される特定の概念と最も一貫する意味が与えられべきである、ということである。
【００１７】
当業者は、図面が主として図示の目的のためであり、本明細書で説明する本発明の主題の範囲に限定することを意図していない、ということを理解するであろう。図面は、必ずしも縮尺通りではなく、事例によっては、本明細書で開示する本発明の主題の様々な態様は、異なった特徴の理解を容易にするために、図面において誇張又は拡大して示すことがある。図面では、同様の参照符号は、同様の特徴部（例えば、機能的に同様の要素及び／又は構造的に同様の要素）を一般に指す。
【図面の簡単な説明】
【００１８】
【図１Ａ】本開示の原理に従った体外回路例を示す図である。
【図１Ｂ】本開示の原理に従った体外回路例を示す図である。
【図２Ａ】本開示の原理に従った体外回路例を示す図である。
【図２Ｂ】本開示の原理に従った体外回路例を示す図である。
【図３Ａ】本開示の原理に従った体外回路例を示す図である。
【図３Ｂ】本開示の原理に従った体外回路例を示す図である。
【図４】本開示の原理に従った体外回路例を示す図である。
【図５】本開示の原理に従った二重体外回路を含むシステム例を示す図である。
【図６】本開示の原理に従った二重体外回路を含むシステム例を示す図である。
【図７Ａ】本開示の原理に従った方法例のフローチャートを示す図である。
【図７Ｂ】本開示の原理に従った方法例のフローチャートを示す図である。
【図８】本開示の原理に従った手順例及び温度プロファイルを示す図である。
【図９】本開示の原理に従った装置例を示す図である。
【図１０】本開示の原理に従ったネットワーク環境例の概略図である。
【図１１】本開示の原理に従った最小限の動作シーケンスのための制御手順例の実施のための制御システム装置例を示す図である。
【図１２】本開示の原理に従った計算デバイス例のブロック図である。
【発明を実施するための形態】
【００１９】
以下に続くものは、局所的又は広域的な虚血性発作や循環損傷に苦しむ者の身体の少なくとも一部分の温度を制御するための本発明の方法、装置、及びシステムに関する、また、その実施形態の、様々な概念のより詳細な説明である。理解すべきことは、上で紹介し、また、下で一段と詳細に論述する様々な概念が、開示する概念が任意の特別の実施のやり方に限定されないので、任意の数々のやり方で実施できる、ということである。特定の実施及び用途の例については、主として図示の目的のために提供される。
【００２０】
本明細書で使用するとき、用語「含む（ｉｎｃｌｕｄｅｓ）」は、含むことを意味するがそれに限定されず、用語「含んでいる（ｉｎｃｌｕｄｉｎｇ）」は、含んでいることを意味するがそれに限定されない。用語「に基づく（ｂａｓｅｄ  ｏｎ）」は、少なくとも一部それに基づくことを意味する。
【００２１】
本明細書中の原理の様々な例と関連して本明細書で説明する表面に関して、「上部」表面及び「底部」表面の言及は、基材に及び相互に対する様々な要素／部品の相対的な位置、整列及び／又は配向を示すために主として使用され、それらの用語は、任意の特定の座標系（例えば、重力座標系）を必ずしも示さない。このように、表面又は層の「底部」の言及は、示した表面又は層が地表面に面していることを必ずしも必要としない。同様に、「上側」、「下側」、「より上」、「真下」等々などの用語は、重力座標系などの任意の特定の座標系を必ずしも示さない。寧ろ、表面に及び相互に対する様々な要素／部品の相対的な位置、整列及び／又は配向を示すために主として使用される。
【００２２】
用語「上に配設され」及び「上側に配設され」は、「に部分的に埋め込まれ」を含む「に埋め込まれ」の意味を包含する。加えて、特徴Ｂの「上に配設され」、「間に配設され」、又は「上側に配設され」ている特徴Ａの言及は、特徴Ａが特徴Ｂに接触している例、並びに、他の層及び／又は他の部品が特徴Ａと特徴Ｂの間に位置決めされている例、を包含する。
【００２３】
体外式膜型酸素供給法（ＥＣＭＯ）は、体外式ライフサポートとも呼ばれるが、集中治療医学で、例えば、心不全及び呼吸不全のケースで、幅広く使用される介入技術として使用されてきた。ＥＣＭＯは、その人の心臓及び肺が生命を維持するのに低すぎる不十分な量のガス交換しか提供できない個人に対して心臓及び呼吸のサポートを提供するために使用されてきた。ＥＣＭＯは、血液を身体の或る場所で脈管構造から取ることによって、また、事によっては多少の変更や処理の後で別の場所にそれを戻すことによって、作動する。例えば、ＥＣＭＯは、血液を身体の脈管構造から取り出すために使用される場合があり、人工的に二酸化炭素を取り除いて酸素を赤血球に送り込む。体外サポート回路の初期の形式は、米国特許第３，８８１，４８３号（本明細書に参照によって組み込む）に開示されている。米国特許第７，７０４，２２０号及び第７，７８９，８４６号（本明細書に参照によって組み込む）は、体外サポートシステムの他の例を示している。米国特許第６，５０８，７７７号は、その個々が動脈サブシステムを静脈サブシステムに結合するループを開示している。米国特許第６，５０８，７７７号は、大動脈カテーテル配置のために蛍光透視や超音波を使用することを必要とする。
【００２４】
本明細書中の原理に従ったシステム、方法及び装置の例は、身体の局所的ターゲット領域での患者血液及び組織温度の改善された制御を提供する。同時に、本明細書中のシステム、方法及び装置の例は、全身的又は局所化された循環の障害を有する患者の血液の流れをサポートする。本明細書中の原理に従ったシステム及び方法の例は、身体中の熱的ターゲットの二重制御を提供するために二つ以上の体外回路ループを使用する。二つ以上の体外回路は、身体の局所的ターゲット領域で、身体の他の領域と比べて、異なった温度を維持するために、身体の脈管構造の異なった部分に結合される場合がある。
【００２５】
体外ループは、血液を一つの接続部から脈管構造に取ること、及び、それを脈管構造の他の場所で戻すこと、を全て伴う。殆どの場合、脈管構造を二つの細別、動脈及び静脈、を有するものと分類することができる。体外ループは、分類される場合があり、その細分によって血液が（いずれにせよ静脈又は動脈）から取られ、血液が（いずれにせよ静脈又は動脈）に戻される。例えば、ＥＣＭＯシステムの一つの一般的なタイプは、血液を静脈側から取って、それを動脈側に戻すが、これは、ＶＡ  ＥＣＭＯと命名されている。他の可能な体外回路は、ＡＶ（血液を動脈側から取って静脈側に戻す）、ＶＶ（血液を静脈側から取って静脈側に戻す）、及び、ＡＡ（血液を動脈側から取って動脈側に戻す）である。本明細書中の原理に従った例では、血液を大動脈弓（動脈）から取ってそれを内頸動脈に戻す局所的ループは、ＡＡ回路である。局所的ループは、身体の局所的ターゲット領域を灌流するための局所的灌流体外回路（ＬＰＥＣ）である場合がある。ＬＰＥＣ入力流れポート及びＬＰＥＣ出力流れポートは、第１及び第２の動脈場所に位置決めされるために適合される。本明細書中のシステム及び方法によれば、全身ループは、周辺に配置したループ（下で一段と詳細に説明する）であり、それによって、蛍光透視又は超音波診断の必要性が除去される。このように、本明細書中のシステム例及び方法例は、カテーテル処置室へのアクセスが利用可能でない救急状況で実施される場合がある。
【００２６】
加えて、本明細書中のシステム例及び方法例は、全身ループが確立されるときから局所的ループが配置されるときの間に、１２時間までの或いは２４時間までの遅滞を提供する。例では、全身ループは、動脈場所と静脈場所の間に配置される場合がある。加えて、本明細書中のシステム例及び方法例は、患者に非同期的に適用されるべき全身体外回路及び局所的体外回路を提供する場合がある。「非同期的に」は、全身ループが第一の時間ポイント（ｔ１）で適用され、局所的ループが第二の、後の時間ポイント（ｔ２）で適用される、という意味で本明細書で使用される。局所的ループは、全身ループを妨げることなしに、第三の時間ポイント（ｔ３）で取り除かれることもある。局所的ループのための挿入時間は、全身ループの挿入（即ち、Δｔ＝ｔ２−ｔ１）に対して、約１時間、約６時間、約１２時間、又は約２４時間だけ、或いは、特定の患者及び医療チームに適していると決定された他の遅れ時間で、遅れることがある。局所的ループが取り除かれたか又はシャットダウンされたかのいずれかの後で全身ループが動作することを続けている時間間隔は、約１時間、約１２時間、約２４時間、約４８時間、或いは、特定の患者及び医療チームの対応に適していると決定された任意の他の時間間隔、である場合がある。例では、全身ループ及び局所的ループは共に、約同じ時間に、或いは、単なる数分の遅れ乃至短縮で、取り除かれるか又はシャットダウンされるかのいずれかである。
【００２７】
例によっては、システムは、制御システムを含む場合があり、制御システムは、身体の異なった領域での温度勾配の自動メンテナンスを提供し、したがって、身体の局所的ターゲット領域は、身体の他の領域と比べて異なった温度に維持されるように構成される。
【００２８】
本明細書中の原理に従ったシステム、方法及び装置の例を使用して、身体の局所的領域（それに限定されないが脳など）は、身体の他の領域と比べて高めのレベルの低体温に維持される場合があり、結果として、身体の他部分の低体温の有害な効果は、回避される場合がある。
【００２９】
図１Ａは、本明細書中の原理に従った体外回路１００の例を示している。体外回路の例は、入力流れポート１０２、出力流れポート１０４、及びポンプ１０６を含む。使用において、入力流れポート１０２及び出力流れポート１０４は、身体の領域に至る脈管構造の内部を流れる血液に接触するように配設される。ポンプ１０６は、体外回路１００を通って循環する血液の流れを制御及び調整するために使用される。
【００３０】
図１Ｂは、本明細書中の原理に従った体外回路１００’の他の例を示しており、入力流れポート１０２、出力流れポート１０４、ポンプ１０６、及び熱交換器１０８（流れている流体の温度を制御するために使用される）を含む。使用において、熱交換器１０８は、身体の領域まで戻される血液の温度を制御するために使用される場合がある。
【００３１】
図２Ａ及び２Ｂは、本明細書中の原理に従った他の例の体外回路２００、２００’を示す。図２Ａでは、体外回路２００の例は、ポンプ２０６を使用して調整されるように体外回路２００を通って循環する血液の流れに基づいて血液を身体中の場所に戻すための注入器部材２１０を含む。図２Ｂでは、体外回路２００’の例は、ポンプ２０６を使用して調整されるように体外回路２００を通って循環する血液の流れに基づいて血液を身体中の場所に戻すための注入器部材２１０と、熱交換器２０８（流れる流体の温度を制御するために使用される）と、を含む。注入器部材２１０は、血液を身体の血管から体外回路の中に取るための出力流れポートと、処理した血液を身体の血管に戻すための入力流れポートと、の双方を含む場合がある。非限定の例では、注入器部材２１０は、血液を身体の血管から体外回路の中に取るための出力ポートと、処理した血液を血管に戻すための入力流れポート（注入器部材）と、の双方を含む単一のカテーテルの部分又は部品である場合がある。
【００３２】
本明細書で使用するとき、用語「注入器部材（ｉｎｊｅｃｔｏｒ  ｍｅｍｂｅｒ）」は、血液を身体の特定の場所の脈管構造に戻すために使用される体外回路システム例の部品を指す。
【００３３】
本明細書で使用するとき、用語「脈管構造注入点（ｖａｓｃｕｌａｔｕｒｅ  ｉｎｊｅｃｔｉｏｎ  ｐｏｉｎｔ）」は、身体の中に血液が注入されるカテーテル入口又は血管穿刺場所から離れた脈管構造の中の最遠位の場所を指す。
【００３４】
本明細書で使用するとき、用語「周辺に配置したループ（ｐｅｒｉｐｈｅｒａｌ  ｐｌａｃｅｄ  ｌｏｏｐ）」は、動脈分岐部又は静脈分岐部を通り過ぎたデバイスを操縦するために普通使用される蛍光透視又は任意の他の等価なシステムから詳細な案内なしで、身体の血管の一部分に接触するように配置される場合のある血液出力（身体から回路に）カテーテル及び血液入力（回路から身体に）カテーテル（又は他の入力流れポート及び／又は出力流れポート部材）を有する体外回路例を指す。これは、全ての可能な配置のサブセットであり、幾つかが周辺の循環を通り、幾つかが中央の循環を通る。
【００３５】
様々な用語における「周辺の（ｐｅｒｉｐｈｅｒａｌ）」は、周辺循環システムを指すときに使用するのとは異なって本明細書で使用される。例えば、カテーテル（又は他の入力流れポート及び／又は出力流れポート部材）は、蛍光透視を使用せずに、大静脈に或いは下行大動脈の中の低くに又は腸骨動脈に接触するように配置されることがある。これらは、周辺循環システムというよりむしろ中央システムの一部と時々考えられる。
【００３６】
救急の体外式膜型酸素供給法（ＥＣＭＯ）サポートのために使用される共通の回路は、周辺に配置したループとして実行される場合がある。本明細書中の原理に従って、ＥＣＭＯカテーテル例は、蛍光透視を使用せずに、大静脈の中に或いは下行大動脈の中の低くに又は腸骨動脈の中に配置されることがある。救急手順例では、周辺に配置したループを有するＥＣＭＯサポートを配置するための時間は、蛍光透視又は等価な視覚化システムを装備した「カテーテル処置室（ｃａｔｈ  ｌａｂ）」に個人が先ず搬送されるべき場合に必要とされ得るものより短くなる場合がある。即ち、本明細書で使用される意味の範囲内で周辺に配置したループを含むシステム及び方法の例は、望ましくない遅延を導く可能性のある医療ケアユニットにおけるスケジュール決め問題又は段階決め問題の理由から蛍光透視又は他のＸ線視覚化システムを要求するものよりも患者の中に確立するのに著しく速くなる場合がある。
【００３７】
心停止を被って心肺機能蘇生（ＣＰＲ）手順によって全ての心臓機能に直ちに復位させ得ない個人を含めて、心停止を被った個人の例では、死亡及び罹患を回避するための代替的な戦略は、体外回路を用いて、それらの患者にＥＣＭＯサポートを与えることである。
【００３８】
「全身的灌流システム（ｓｙｓｔｅｍｉｃ  ｐｅｒｆｕｓｉｏｎ  ｓｙｓｔｅｍ）」は、本明細書で使用するとき、大静脈（下大静脈又は上大静脈）又は腸骨静脈のレベルで血液を静脈系から取って、動脈循環の中にうまくつながる腸骨動脈又は下行大動脈或いは他の動脈などの心臓からの給送に近接した動脈側に血液（注入器部材を介してなど）を戻すシステムを指す。
【００３９】
「局所的灌流システム（ｌｏｃａｌ  ｐｅｒｆｕｓｉｏｎ  ｓｙｓｔｅｍ）」は、注入された血液の主要な部分（約５０％を超える）が、一般的な循環を通して心臓に戻る前に臓器系に送り込まれるように、配置された注入器部材を有するシステムを指す。
【００４０】
本明細書中の原理に従った体外回路１００、１００’、２００、又は２００’のうちの任意のものを含む任意の体外回路例は、全身的灌流システム及び／又は局所的灌流システムとして実行される場合がある。体外回路１００又は２００に基づく例では、全身的灌流システム及び／又は局所的灌流システムは、ポンプ１０６又は２０６を含む体外回路要素である。
【００４１】
本明細書中の原理に従った体外回路１００、１００’、２００、又は２００’のうちの任意のものを含む任意の体外回路例では、ポンプの少なくとも一部分は、使い捨てでもよい。
【００４２】
本明細書中の原理に従った熱交換器を含み任意の体外回路１００’及び／又は２００’を含む任意の体外回路例では、熱交換器を含む部品は、酸素供給器を含んでいてもよい。部品は、使い捨て部品であってもよい。
【００４３】
本明細書中の原理に従った例では、全身的灌流システム及び／又は局所的灌流システムは、膜型酸素供給要素、フィルタ、熱交換器、透析ユニット、光学的処置ゾーン、或いは、血液又は血液の化学成分の改質のための他の部品、のうちの一つ以上を含む場合もある。
【００４４】
図３Ａは、個人の身体の脈管構造の内部を流れる血液に接触するように位置決めされる注入器部材３１０を含む本明細書中の原理に従った体外回路３００の例を示す。注入器部材３１０は、ポンプ３０６を使用して調整されるように体外回路３００を通って循環する血液の流れに基づいて血液を身体中の場所に戻すため使用される。図３Ｂは、ポンプ３０６を使用して調整される流れに基づいて血液３１４を身体に戻すために、脈管構造注入点３１２で、個人の身体の脈管構造に結合された注入器部材３１０を示す。
【００４５】
非限定の例では、注入器部材３１０は、身体の局所的ターゲット領域の脈管構造の内部を流れる血液に接触するように位置決めされる場合がある。局所的ターゲット領域は、それに限定されないが、脳である場合がある。
【００４６】
他の非限定の例では、注入器部材３１０は、周辺に配置したループを介して脈管構造の内部を流れる血液に接触するように位置決めされる場合がある。
【００４７】
図４は、ポンプ４０６、熱交換器４０８、及び注入器部材４１０を含む本明細書中の原理に従った体外回路４００の例を示す。注入器部材４１０は、個人の身体の脈管構造の内部を流れる血液に接触するように位置決めされる。ポンプ４０６は、ポンプドライブ４１６及びポンプコンソール４１７に結合される。熱交換器４０８は、ウォータチラー及び温度コントローラ４１８に結合される。注入器部材４１０は、ポンプ４０６を使用して調整されるように体外回路４００を通って循環する血液の流れに基づいて、熱交換器４０８を使用して制御される温度で、血液を身体中の場所に戻すために使用される。
【００４８】
治療的低体温は、虚血性創傷及び他の創傷から組織損傷の影響を防止又は軽減するために有利に使用される場合がある。例えば、虚血性創傷に続く組織損傷は、虚血の発症で始まって、血液の流れが復位した後の再灌流段階の全体にわたって続く場合がある。前臨床研究及び臨床研究は共に、再灌流段階が数時間から数日続く場合があり、しかも、治療的低体温がその段階の創傷の多くを阻止するために有利に使用される場合がある、という知見を支持している。そういった研究の例は、ポルダーマン  ケイエイチの「Ｍｅｃｈａｎｉｓｍｓ  ｏｆ  ａｃｔｉｏｎ，  ｐｈｙｓｉｏｌｏｇｉｃａｌ  ｅｆｆｅｃｔｓ，  ａｎｄ  ｃｏｍｐｌｉｃａｔｉｏｎｓ  ｏｆ  ｈｙｐｏｔｈｅｒｍｉａ」Ｃｒｉｔ．  Ｃａｒｅ  Ｍｅｄ．  ３７（７  Ｓｕｐｐｌ）：  Ｓ１８６−２０２  （２００９）、ポルダーマン  ケイエイチらの「Ｔｈｅｒａｐｅｕｔｉｃ  ｈｙｐｏｔｈｅｒｍｉａ  ａｎｄ  ｃｏｎｔｒｏｌｌｅｄ  ｎｏｒｍｏｔｈｅｒｍｉａ  ｉｎ  ｔｈｅ  ｉｎｔｅｎｓｉｖｅ  ｃａｒｅ  ｕｎｉｔ：  Ｐｒａｃｔｉｃａｌ  ｃｏｎｓｉｄｅｒａｔｉｏｎｓ，  ｓｉｄｅ  ｅｆｆｅｃｔｓ，  ａｎｄ  ｃｏｏｌｉｎｇ  ｍｅｔｈｏｄｓ」Ｃｒｉｔ．  Ｃａｒｅ  Ｍｅｄ．  ３７（３）：  １１０１−２０  （２００９）、シュワルツ  ビージーらの「Ｔｈｅｒａｐｅｕｔｉｃ  Ｈｙｐｏｔｈｅｒｍｉａ  ｆｏｒ  Ａｃｕｔｅ  Ｍｙｏｃａｒｄｉａｌ  Ｉｎｆａｒｃｔｉｏｎ  ａｎｄ  Ｃａｒｄｉａｃ  Ａｒｒｅｓｔ」Ａｍ．  Ｊ．  Ｃａｒｄｉｏｌ．  １１０（３）：  ４６１−６  （２０１２）、及び、ムーアらの「Ｔｈｅｒａｐｅｕｔｉｃ  ｈｙｐｏｔｈｅｒｍｉａ：  Ｂｅｎｅｆｉｔｓ，  ｍｅｃｈａｎｉｓｍｓ  ａｎｄ  ｐｏｔｅｎｔｉａｌ  ｃｌｉｎｉｃａｌ  ａｐｐｌｉｃａｔｉｏｎｓ  ｉｎ  ｎｅｕｒｏｌｏｇｉｃａｌ，  ｃａｒｄｉａｃ  ａｎｄ  ｋｉｄｎｅｙ  ｉｎｊｕｒｙ」Ｉｎｊｕｒｙ  ４２（９）：  ８４３−５４  （２０１１）、に開示されている。それらの個々については、本明細書に参照によって組み込む。
【００４９】
治療的低体温は、他の技術を用いて一般に利用可能でない制限的な虚血及び再灌流の細胞及び組織の損傷に関する幅広い組織保護の戦略を提供する。なぜならば、低体温が、それらの損傷を引き起こす多くの公知のアポトーシス経路を抑圧又は制限するからである。ポルダーマン  ケイエイチの「Ｍｅｃｈａｎｉｓｍｓ  ｏｆ  ａｃｔｉｏｎ，  ｐｈｙｓｉｏｌｏｇｉｃａｌ  ｅｆｆｅｃｔｓ，  ａｎｄ  ｃｏｍｐｌｉｃａｔｉｏｎｓ  ｏｆ  ｈｙｐｏｔｈｅｒｍｉａ」Ｃｒｉｔ．  Ｃａｒｅ  Ｍｅｄ．  ３７（７  Ｓｕｐｐｌ）：  Ｓ１８６−２０２  （２００９）、ポルダーマン  ケイエイチらの「Ｔｈｅｒａｐｅｕｔｉｃ  ｈｙｐｏｔｈｅｒｍｉａ  ａｎｄ  ｃｏｎｔｒｏｌｌｅｄ  ｎｏｒｍｏｔｈｅｒｍｉａ  ｉｎ  ｔｈｅ  ｉｎｔｅｎｓｉｖｅ  ｃａｒｅ  ｕｎｉｔ：  Ｐｒａｃｔｉｃａｌ  ｃｏｎｓｉｄｅｒａｔｉｏｎｓ，  ｓｉｄｅ  ｅｆｆｅｃｔｓ，  ａｎｄ  ｃｏｏｌｉｎｇ  ｍｅｔｈｏｄｓ」Ｃｒｉｔ．  Ｃａｒｅ  Ｍｅｄ．  ３７（３）：  １１０１−２０  （２００９）、シュワルツ  ビージーらの「Ｔｈｅｒａｐｅｕｔｉｃ  Ｈｙｐｏｔｈｅｒｍｉａ  ｆｏｒ  Ａｃｕｔｅ  Ｍｙｏｃａｒｄｉａｌ  Ｉｎｆａｒｃｔｉｏｎ  ａｎｄ  Ｃａｒｄｉａｃ  Ａｒｒｅｓｔ」Ａｍ．  Ｊ．  Ｃａｒｄｉｏｌ．  １１０（３）：  ４６１−６  （２０１２）、及び、ムーアらの「Ｔｈｅｒａｐｅｕｔｉｃ  ｈｙｐｏｔｈｅｒｍｉａ：  Ｂｅｎｅｆｉｔｓ，  ｍｅｃｈａｎｉｓｍｓ  ａｎｄ  ｐｏｔｅｎｔｉａｌ  ｃｌｉｎｉｃａｌ  ａｐｐｌｉｃａｔｉｏｎｓ  ｉｎ  ｎｅｕｒｏｌｏｇｉｃａｌ，  ｃａｒｄｉａｃ  ａｎｄ  ｋｉｄｎｅｙ  ｉｎｊｕｒｙ」Ｉｎｊｕｒｙ  ４２（９）：  ８４３−５４  （２０１１）、を参照のこと。
【００５０】
心停止（広域的虚血）では、治療的低体温は、神経保護の目的に関するケアの標準と考えられている。標準プロトコルの下では、冷却は、血行の回復後の約１２〜約２４時間の間に約３２℃まで実行される場合がある。例えば、ノーラン  ジェイピーら（Ｎｏｌａｎ  ＪＰ  ｅｔ  ａｌ．）の「Ｔｈｅｒａｐｅｕｔｉｃ  Ｈｙｐｏｔｈｅｒｍｉａ  Ａｆｔｅｒ  Ｃａｒｄｉａｃ  Ａｒｒｅｓｔ」Ｃｉｒｃｕｌａｔｉｏｎ  １０８（１）：  １１８−２１  （２００３）、及び、ピバディ  エムエーら（Ｐｅｂｅｒｄｙ  ＭＡ  ｅｔ  ａｌ）の「Ｐａｒｔ  ９：  Ｐｏｓｔ−Ｃａｒｄｉａｃ  Ａｒｒｅｓｔ  Ｃａｒｅ  ２０１０  Ａｍｅｒｉｃａｎ  Ｈｅａｒｔ  Ａｓｓｏｃｉａｔｉｏｎ  Ｇｕｉｄｅｌｉｎｅｓ  ｆｏｒ  Ｃａｒｄｉｏｐｕｌｍｏｎａｒｙ  Ｒｅｓｕｓｃｉｔａｔｉｏｎ  ａｎｄ  Ｅｍｅｒｇｅｎｃｙ  Ｃａｒｄｉｏｖａｓｃｕｌａｒ  Ｃａｒｅ」Ｃｉｒｃｕｌａｔｉｏｎ  ２；  １２２（１８  ｓｕｐｐｌ  ３）：  Ｓ７６８−８６  （２０１０）、を参照のこと。それらの個々については、本明細書に参照によって組み込む。
【００５１】
卒中（脳の中の局所的虚血）の場合、組織損傷を制限するための治療的低体温の使用は、前臨床研究の結果によって支持されている。脳の３２℃より下の選択的な冷却は、２４℃〜２８度の範囲の中ならなおさら、効果的であることがある。例えば、ファンデル  ワープらの「Ｈｙｐｏｔｈｅｒｍｉａ  ｉｎ  ａｎｉｍａｌ  ｍｏｄｅｌｓ  ｏｆ  ａｃｕｔｅ  ｉｓｃｈａｅｍｉｃ  ｓｔｒｏｋｅ：  ａ  ｓｙｓｔｅｍａｔｉｃ  ｒｅｖｉｅｗ  ａｎｄ  ｍｅｔａ−ａｎａｌｙｓｉｓ」Ｂｒａｉｎ  １３０（１２）：  ３０６３−７４  （２００７）、及び、シュワルツらの「Ｈｙｐｏｔｈｅｒｍｉａ  ｉｎ  ａｎｉｍａｌ  ｍｏｄｅｌｓ  ｏｆ  ａｃｕｔｅ  ｉｓｃｈａｅｍｉｃ  ｓｔｒｏｋｅ：  ａ  ｓｙｓｔｅｍａｔｉｃ  ｒｅｖｉｅｗ  ａｎｄ  ｍｅｔａ−ａｎａｌｙｓｉｓ」Ｂｒａｉｎ  １３０（１２）：  ３０６３−７４  （２０１１）、を参照のこと。それらの個々については、本明細書に参照によって組み込む。
【００５２】
ＥＣＭＯサポートは、心停止の患者のために使用される場合がある。例えば、スタブ  ディーらの「Ｒｅｆｒａｃｔｏｒｙ  ｃａｒｄｉａｃ  ａｒｒｅｓｔ  ｔｒｅａｔｅｄ  ｗｉｔｈ  ｍｅｃｈａｎｉｃａｌ  ＣＰＲ，  ｈｙｐｏｔｈｅｒｍｉａ，  ＥＣＭＯ  ａｎｄ  ｅａｒｌｙ  ｒｅｐｅｒｆｕｓｉｏｎ  （ｔｈｅ  ＣＨＥＥＲ  ｔｒｉａｌ）」Ｒｅｓｕｓｃｉｔａｔｉｏｎ  ８６：  ８８−９４  （２０１５）、グエン  エムエルらの「Ｅｘｔｒａｃｏｒｐｏｒｅａｌ  ｌｉｆｅ  ｓｕｐｐｏｒｔ  ｆｏｌｌｏｗｉｎｇ  ｏｕｔ−ｏｆ−ｈｏｓｐｉｔａｌ  ｒｅｆｒａｃｔｏｒｙ  ｃａｒｄｉａｃ  ａｒｒｅｓｔ」Ｃｒｉｔｉｃａｌ  Ｃａｒｅ  １５（１）：  Ｒ２９  （２０１１）、及び、チェン  ワイエスらの「Ｃａｒｄｉｏｐｕｌｍｏｎａｒｙ  ｒｅｓｕｓｃｉｔａｔｉｏｎ  ｗｉｔｈ  ａｓｓｉｓｔｅｄ  ｅｘｔｒａｃｏｒｐｏｒｅａｌ  ｌｉｆｅ−ｓｕｐｐｏｒｔ  ｖｅｒｓｕｓ  ｃｏｎｖｅｎｔｉｏｎａｌ  ｃａｒｄｉｏｐｕｌｍｏｎａｒｙ  ｒｅｓｕｓｃｉｔａｔｉｏｎ  ｉｎ  ａｄｕｌｔｓ  ｗｉｔｈ  ｉｎ−ｈｏｓｐｉｔａｌ  ｃａｒｄｉａｃ  ａｒｒｅｓｔ：  ａｎ  ｏｂｓｅｒｖａｔｉｏｎａｌ  ｓｔｕｄｙ  ａｎｄ  ｐｒｏｐｅｎｓｉｔｙ  ａｎａｌｙｓｉｓ」Ｔｈｅ  Ｌａｎｃｅｔ  ３７２（９６３８）：  ５５４−６１  （２００８）、を参照のこと。それらの個々については、本明細書に参照によって組み込む。
【００５３】
全身性低体温、即ち、身体の全体部分又は有効な部分を３２℃より下の温度に冷却することは、心室細動、心静止、心拍出量の減少、及び、全身的血管抵抗の上昇、などの重篤な合併症を招く場合がある。これらの心臓中枢の副作用は、低めの低体温の温度が周術期の使用中の心肺バイパス（ＣＰＢ）システムを介して日常的に適用されるにもかかわらず、低侵襲の全身性低体温が３２℃より下で使用されるのを防止した。
【００５４】
本明細書中の原理に従ったシステム例及び方法例は、脈管構造の中の血液の温度の、また、組織温度の、改善された制御を提供し、その一方、同時に個人の血液の流れをサポートする。例では、個人は、全身的又は局所化した循環の障害を有する。本明細書中のシステム例及び方法例は、心停止、又は虚血性卒中、或いは関係する状態に苦しむ個人に使用するために実装される場合がある。
【００５５】
本明細書中の原理に従ったシステム例及び方法例は、全身及び局所的な血液の流れ及び組織温度の長期（数時間から数日続く）の制御に対して手段を成し遂げる十分な制御を可能にする手順を提供する。
【００５６】
本明細書中の原理に従ったシステム例及び方法例では、身体の熱的ターゲットの二重制御を提供するために、体外回路の二つ以上のループを使用する。二つ以上の体外回路は、身体の脈管構造の異なった部分に結合される場合があり、身体の他の領域と比べて身体の局所的ターゲット領域で異なった温度を維持する。例えば、システム例は、制御システムを含む場合があり、身体の異なった領域での温度勾配の保全を容易にし、したがって、身体の局所的ターゲット領域は、身体の他の領域と異なった温度に維持される。
【００５７】
例では、本明細書中の原理に従ったシステム及び方法は、局所的ターゲット領域に注入される血液が約１０℃から約３０℃の温度範囲に冷却されるのを容易にして、したがって、局所的ターゲット領域、の近位の、に結合された、又は、に局所的に配設された、センサによって測定される局所的ターゲット領域の温度は、３０℃より下の治療的低体温の範囲に、或いは、手術する技術者や医療実務家（医者を含む）の選ぶ他の範囲に、持ち込まれる場合がある。身体の他の領域の脈管構造に向かう血液の温度は、血液注入温度を調整することによって、軽い治療的低体温の範囲（例えば、約３２℃から３４℃まで）に、或いは、正常体温の範囲（例えば、約３５℃から３７℃まで）に、保持される場合がある。例えば、長い動作の期間中に、身体の他の領域の脈管構造に向かう血液の温度は、平均中核身体温度及び／又は平均体系温度が、望んでいない範囲、例えば、心臓組織に対して悪影響を与えるか又は損傷を与える場合のある温度範囲、の中に移動するのを防止するために、上向きに調整される場合がある。
【００５８】
非限定の例では、局所的ターゲット領域は、脳であり、身体の他の領域と異なった（低めの）温度に維持される。そういった例では、一つ以上の温度センサは、左鼻腔又は右鼻腔、の近位に配設され、に結合され、又は、に局所的に配設される、場合がある。中核（例えば、身体の平均中核身体温度及び／又は平均体系温度）及び局所的組織ターゲット領域の臨床的関連温度を制御する目的で、一つ以上のセンサは、身体のそれらの領域の中に又は近くに配置される場合がある。当業者は、センサ読み取りの値を表す測定したデータが、身体の関心領域の温度の実際の値と正に同じではない、ということを理解する。寧ろ、測定したセンサの値は、臨床的関連温度を制御することを追求する制御手順に基づいた動作に有用である場合がある。非限定の例では、臨床的関連温度は、単一のセンサからの測定した値（二つ以上の異なったセンサ読み取りの平均又は加重平均を含む）に基づいて決定される場合がある。他の非限定の例では、臨床的関連温度は、二つ以上のセンサからの測定した値の平均に基づいて決定される場合がある。他の非限定の例では、臨床的関連温度は、二つ以上のセンサからの測定した値の加重平均に基づいて決定される場合がある。他の非限定の例では、臨床的関連温度は、測定したセンサ値の関数として関心領域の温度の幾つかの他のモデルに基づいて決定される場合がある。測定した温度、即ち、ＬＰＥＣセンサ温度又はＳＰＥＣセンサ温度について本明細書で言及しているが、当業者なら理解するであろうことは、直接測定した値の関数として臨床的関連局所的温度のモデルがそれに含まれるということであり、そのモデルは、当業者に明らかであるような様々な方法と、特定の患者の立場に照らして医者や他の実務家にとって興味を引き得るモデルと、を含む場合がある。
【００５９】
図５は、本明細書中の原理に従ったシステム５００の例を示す。システム５００の例は、身体の局所的ターゲット領域を灌流するための局所的灌流体外回路（ＬＰＥＣ）５０１及び全身的灌流体外回路（ＳＰＥＣ）５５１の例を含む。ＬＰＥＣ５０１は、ＬＰＥＣ入力流れポート５０２、ＬＰＥＣ出力流れポート５０４、ＬＰＥＣポンプ５０６、及び、ＬＰＥＣ熱交換器５０８を含む。
【００６０】
ＬＰＥＣ入力流れポート５０２及びＬＰＥＣ出力流れポート５０４は、個人の身体の局所的ターゲット領域に至る脈管構造の内部を流れる血液に接触するように配設される。図５の非限定の例では、ＬＰＥＣ入力流れポート５０２及びＬＰＥＣ出力流れポート５０４は、カテーテル５１１を介して脈管構造の内部を流れる血液に接触するように配設される。他の例では、ＬＰＥＣ入力流れポート５０２及びＬＰＥＣ出力流れポート５０４は、脈管構造の内部を流れる血液に直接接触するように配設される。ＬＰＥＣ熱交換器は、局所的灌流のために身体の局所的ターゲット領域に戻る血液の温度を制御するために使用される。
【００６１】
ＳＰＥＣ５５１は、ＳＰＥＣ入力流れポート５５２、ＳＰＥＣ出力流れポート５５４、及び、ＳＰＥＣポンプ５５６を含む。ＳＰＥＣ入力流れポート５５２及びＳＰＥＣ出力流れポート５５４は、周辺に配置したループを介して脈管構造の内部を流れる血液に接触する。システム５００は、ＳＰＥＣによって灌流される身体の平均中核身体温度及び／又は平均体系温度を示すために、身体に結合される一つ以上のＳＰＥＣ温度センサ５６０を含む。システム５００は、ターゲット領域の内部の温度を示すために、身体の局所的ターゲット領域に結合される一つ以上のＬＰＥＣ温度センサ５６５を同じく含む。システム５００は、ＬＰＥＣ５０１及びＳＰＥＣ５５１に結合される制御システム５７０を同じく含む。
【００６２】
システム５００の例では、一つ以上のＳＰＥＣ温度センサ５６０は、膀胱温度センサ及び／又は直腸温度センサを含む場合がある。
【００６３】
制御システム５７０は、一つ以上のＳＰＥＣ温度センサ５６０が約３２℃から約３７℃未満までの範囲内の平均温度を示すように、ＳＰＥＣ５５１によって身体の全身温度を調整させる制御手順を実行するために、また、一つ以上のＬＰＥＣ温度センサが約３０℃より下の温度を示すように、ＬＰＥＣ５０１によって血液の温度をターゲット領域に制御させるために、プログラムされる場合がある。制御システムは、ＬＰＥＣポンプ５０６及びＬＰＥＣ熱交換器５０８での流量及び温度を、ＳＰＥＣポンプ５５６での流量設定から独立して、設定するために、プログラムされる。
【００６４】
システム５００の例では、制御システム５７０は、ＳＰＥＣが身体の全身温度を調整するために使用された後の約１２時間又は約２４時間の範囲内で、ＬＰＥＣによって血液の温度をターゲット領域に制御させるために、プログラムされる場合がある。
【００６５】
制御システム５７０は、プロセッサ実行可能命令を記憶するためのメモリと、命令を実行するためにメモリに結合される一つ以上の処理ユニットと、を含む場合があり、ＬＰＥＣ５０１及びＳＰＥＣ５５１によって手順を実行させて、所望の温度を達成するために、ＬＰＥＣポンプ５０６及びＬＰＥＣ熱交換器５０８での流量及び温度を、ＳＰＥＣポンプ５５６での流量設定から独立して、設定する。
【００６６】
システム５００の例では、制御システム５７０は、ＬＰＥＣ５０１によって血液の温度をターゲット領域に自動的に制御させるために、プログラムされる場合がある。システム５００の他の例では、制御システム５７０は、例えば、医療実務家及び／又は技術者、からの手動入力に基づいて、ＬＰＥＣ５０１によって血液の温度をターゲット領域に制御させるために、プログラムされる場合がある。
【００６７】
システム５００の例では、制御システム５７０は、ＳＰＥＣポンプ５５６での流量を約１．０Ｌ／ｍｉｎ〜約５．０Ｌ／ｍｉｎの範囲内の値に設定するためにプログラムされる場合がある。
【００６８】
システム５００の例では、制御システム５７０は、ＳＰＥＣによって血液の温度を増加させて、平均温度が約３２℃より下に下降するのを防止するために、プログラムされる場合がある。システム５００の他の例では、制御システム５７０は、注入される血液の温度をＳＰＥＣによって制御させるために、プログラムされる場合があり、ＬＰＥＣ温度制御が開始する前に中核温度を約３２℃から約３４℃の帯（即ち、温度範囲）の中に保持し、また、ＬＰＥＣ制御が動作している間、中核温度を正常体温レベル（即ち、約３５℃から約３７℃）に保持する。
【００６９】
システム５００の例では、制御システム５７０は、ＬＰＥＣポンプでの流量を約１００ｍｌ／ｍｉｎ〜約５００ｍｌ／ｍｉｎの範囲内の値に設定するためにプログラムされる場合がある。
【００７０】
システム５００の例では、制御システム５７０は、約１０℃〜約３２℃、より好ましくは、約１０℃〜約３０℃、の範囲内の最大値及び最小値を有する制御された帯域の範囲内にＬＰＥＣセンサ測定値を保持するように、注入される血液の温度をＬＰＥＣに調整させるためにプログラムされる場合がある。
【００７１】
本明細書中の原理に従った任意のシステム例では、ＬＰＥＣ入力流れポートは、左若しくは右の総頸動脈又はそれらの場所の一方の下流の動脈に接触するように配設される場合がある。
【００７２】
任意のシステム例では、ＬＰＥＣは、局所的ターゲット領域に向かって流れないＬＰＥＣによって注入される血液の流れの割合を減らすために、クランプ、閉塞、又は部分的に閉塞するための手段を含む場合がある。
【００７３】
任意のシステム例では、ＳＰＥＣは、救急体外式膜型酸素供給法サポートシステムである場合がある。
【００７４】
任意のシステム例では、ＳＰＥＣは、周辺に配置したループを介して脈管構造に戻る血液の温度を制御するためのＳＰＥＣ熱交換器を更に含む場合がある。この例では、制御システムは、ＳＰＥＣ熱交換器での温度を独立して設定するためにプログラムされる場合がある。
【００７５】
図６は、本明細書中の原理に従ったシステム６００の例を示す。システム６００の例は、身体の局所的ターゲット領域を灌流するための局所的灌流体外回路（ＬＰＥＣ）６０１及び全身的灌流体外回路（ＳＰＥＣ）６５１の例を含む。ＬＰＥＣ６０１は、ＬＰＥＣ入力流れポート６０２、ＬＰＥＣ出力流れポート６０４、ＬＰＥＣポンプ６０６、及び、ＬＰＥＣ熱交換器６０８を含む。ＬＰＥＣポンプ６０６は、ＬＰＥＣポンプドライブ６１６及びＬＰＥＣポンプコンソール６１７に結合される。ＬＰＥＣ熱交換器６０８は、ウォータチラー及び温度コントローラ６１８に結合される。
【００７６】
ＬＰＥＣ入力流れポート６０２及びＬＰＥＣ出力流れポート６０４は、個人の身体の局所的ターゲット領域に至る脈管構造の内部を流れる血液に接触するように配設される。図６の非限定の例では、ＬＰＥＣ入力流れポート６０２及びＬＰＥＣ出力流れポート６０４は、カテーテル６１１を介して脈管構造の内部を流れる血液に接触するように配設される。他の例では、ＬＰＥＣ入力流れポート６０２及びＬＰＥＣ出力流れポート６０４は、脈管構造の内部を流れる血液に直接接触するように配設される。ＬＰＥＣ熱交換器は、局所的灌流のために身体の局所的ターゲット領域に戻る血液の温度を制御するために使用される。
【００７７】
ＳＰＥＣ６５１は、ＳＰＥＣ入力流れポート６５２、ＳＰＥＣ出力流れポート６５４、及び、ＳＰＥＣポンプ６５６を含む。ポンプ６５６は、ポンプドライブ６６７及びポンプコンソール６６９に結合される。ＳＰＥＣ熱交換器６５８は、ウォータチラー及び温度コントローラ６６８に結合される。ＳＰＥＣ入力流れポート６５２及びＳＰＥＣ出力流れポート６５４は、周辺に配置したループを介して脈管構造の内部を流れる血液に接触する。システム６００は、ＳＰＥＣによって灌流される身体の平均中核身体温度及び／又は平均体系温度を示すために、身体に結合される一つ以上のＳＰＥＣ温度センサ５６０を含む。システム６００は、ターゲット領域の内部の温度を示すために、身体の局所的ターゲット領域に結合される一つ以上のＬＰＥＣ温度センサ６６５を同じく含む。システム６００は、ＬＰＥＣ６０１及びＳＰＥＣ６５１に結合される制御システム６７０を同じく含む。
【００７８】
システム６００の例では、一つ以上のＳＰＥＣ温度センサ６６０は、膀胱温度センサ及び／又は直腸温度センサを含む場合がある。
【００７９】
制御システム６７０は、一つ以上のＳＰＥＣ温度センサ６６０が約３２℃から約３７℃未満までの範囲内の平均温度を示すように、注入される血液の温度を制御することによってＳＰＥＣ６５１によって身体の全身温度を調整させる制御手順を実行するために、また、一つ以上のＬＰＥＣ温度センサが約３０℃より下の温度を示すように、ＬＰＥＣ６０１によって血液の温度をターゲット領域に制御させるために、プログラムされる場合がある。制御システムは、ＬＰＥＣポンプ６０６及びＬＰＥＣ熱交換器６０８での流量及び温度を、ＳＰＥＣポンプ６５６での流量設定から独立して、設定するために、プログラムされる。
【００８０】
制御システム６７０は、プロセッサ実行可能命令を記憶するためのメモリと、命令を実行するためにメモリに結合される一つ以上の処理ユニットと、を含む場合があり、ＬＰＥＣ６０１及びＳＰＥＣ６５１によって手順を実行させて、所望の温度を達成するために、ＬＰＥＣポンプ６０６及びＬＰＥＣ熱交換器６０８での流量及び温度を、ＳＰＥＣポンプ６５６での流量設定から独立して、設定する。
【００８１】
システム６００の例では、制御システム６７０は、ＬＰＥＣ６０１によって血液の温度をターゲット領域に自動的に制御させるために、プログラムされる場合がある。システム６００の他の例では、制御システム６７０は、例えば、医療実務家及び／又は技術者、からの手動入力に基づいて、ＬＰＥＣ６０１によって血液の温度をターゲット領域に制御させるために、プログラムされる場合がある。
【００８２】
図１Ａ〜６の任意のもののシステム例を含む本明細書中の原理に従った任意のシステム例では、熱交換器は、それに限定されないが、半導体熱電気ヒータ／クーラシステム、である場合がある。熱電気デバイスは、能動要素に適用される電圧の極性に基づいて加熱及び冷却を生じさせる場合がある。そういった熱交換器例は、本明細書で説明するように身体の異なった部分を所望の温度範囲に維持するための必要とされる、熱を発生させるか又は血液から熱を取り除くために使用される場合がある。他の例では、熱交換器は、一方が加熱のために使用されるが他方が冷却のための使用される、別個のユニットを含むことがある。他の例では、熱交換器を含む熱交換器システムは、ポンプ駆動機構を含む場合もあり、ポンプヘッドを活動化させ、熱交換流体をポンプ送りして、それを熱交換器の中に循環させる。非限定の例では、熱交換器システムは、四つのポート（血液入口ポート、血液出口ポート、水入口ポート、及び水出口ポート）を含む使い捨て部品である場合があり、水側の配管（水入口／水出口ポート）は、ポンプを含むヒータ／チラーに結合されており、熱電性を有することがあるか又は水を冷却するための圧縮機を使用することがある。ヒータ／チラーユニットは、設定した温度及び流量の水を熱交換器システムに貫流させるために使用される。温度センサは、血液回路の熱交換器の後で血液の温度を測定するために使用される場合がある。熱交換器システムは、スクリューポンプ、ギヤポンプ、ダイヤフラムポンプ、蠕動ローラポンプ、又は、熱交換流体を循環させるための任意の適用できるポンピング技術、を含む場合がある。
【００８３】
図１Ａ〜６の任意のもののシステム例を含む本明細書中の原理に従った任意のシステム例では、一つ以上の温度センサ（ＳＰＥＣ又はＬＰＥＣセンサを含む）は、耳、脳領域、膀胱、直腸、食道、又は、医療実務家、医者、又は技術者によって特定される他の場所、のうちの少なくとも一つからの測定値データを得るために配設及び構成されることがある。ＳＰＥＣ及び／又はＬＰＥＣを身体の一部分の脈管構造に結合するためにカテーテルが使用される非限定の例では、少なくとも一つのセンサは、カテーテルの遠位先端での、バルーンの近位先端での、又は、他の所望の場所の、血液の温度をモニタするために使用されることがある。他の例では、温度の測定は、カテーテルの遠位先端で測定値を取らずに、血液回路の最後或いは熱交換器の直後で取られる。
【００８４】
本明細書中の原理に従った、図１Ａ〜６のうちの任意のもののシステム例を含む、システム例は、熱交換器の部品の温度をモニタするように構成された一つ以上のセンサを含む場合がある。システムは、一つ以上の圧力センサを含むことがある。
【００８５】
図７Ａは、広域的な虚血性発作又は循環損傷に苦しむ患者のための処置手順の少なくとも部分のための身体の少なくとも部分の二つの異なった温度ゾーンを確立すること及びそれを制御することを提供する本明細書中の原理に従った方法例のフローチャートを示す。ブロック７０２で、ＳＰＥＣは、周辺に配置したループを介して身体に結合される。ブロック７０４で、ＬＰＥＣは、身体の局所的ターゲット領域に至る脈管構造の内部を流れる血液に結合される。
【００８６】
図７Ａのブロック７０６及び７０８で、温度センサは、身体の関心領域の温度パラメータを決定するために位置決めされる。ブロック７０６で、少なくとも一つのＳＰＥＣセンサは、ＳＰＥＣによって灌流される身体の平均中核身体温度及び／又は平均体系温度を測定するために位置決めされる。ブロック７０８で、少なくとも一つのＬＰＥＣセンサは、ＬＰＥＣによって灌流される局所的ターゲット領域の温度を測定するために位置決めされる。
【００８７】
ブロック７１０で、少なくとも最小限の動作シーケンスの動作ステップは、少なくとも最小限の動作シーケンス（図８に関連して一段と詳細に説明される）の各段階に適切なＬＰＥＣ及びＳＰＥＣのためのターゲット設定で実行される。
【００８８】
ブロック７１２で、制御手順は、少なくとも一つのＬＰＥＣセンサ及び少なくとも一つのＳＰＥＣセンサの測定値を記録するために、また、ＳＰＥＣ及びＬＰＥＣの血液流量及び熱交換器温度をそれぞれ独立して制御するために、実行される。制御手順は、ＳＰＥＣによって、ＳＰＥＣによって注入される血液の温度を制御させ、ＳＰＥＣ温度センサの報告する温度測定値を調整させ、各段階でターゲット中核身体温度範囲の範囲内にとどめさせ、また、ＬＰＥＣによって、一つ以上のＬＰＥＣ温度センサが、ＬＰＥＣが動作中である少なくとも最小限の動作シーケンスの各段階のためのターゲット領域温度範囲の範囲内の温度測定値を報告するように、ターゲット領域に注入される血液の温度を制御させる。
【００８９】
図７Ｂは、局所的又は広域的な虚血性発作又は循環損傷に苦しむ患者のための処置手順の少なくとも部分のための身体の少なくとも部分の二つの異なった温度ゾーンを確立すること及びそれを制御することを提供する本明細書中の原理に従った他の方法例のフローチャートを示す。ブロック７５２で、ポンプを含むＳＰＥＣは、周辺に配置したループを介して結合される。これは、周辺に配置したループを介して脈管構造の内部を流れる血液に接触するように、ＳＰＥＣ入力流れポート及びＳＰＥＣ出力流れポートを結合することを含む。ブロック７５４で、ポンプ及び熱交換器を含むＬＰＥＣは、身体の局所的ターゲット領域を灌流するための、身体の局所的ターゲット領域に至る脈管構造の内部を流れる血液に結合される。これは、身体の局所的ターゲット領域に至る脈管構造の内部を流れる血液に接触するように、ＬＰＥＣ入力流れポート及びＬＰＥＣ出力流れポートを結合することを含む。
【００９０】
図７Ｂのブロック７５６及び７５８で、温度センサからの測定値は、身体の関心領域の温度パラメータを決定するために使用される。ブロック７５６で、ＳＰＥＣによって灌流される身体の平均中核身体温度及び／又は平均体系温度は、身体に結合される一つ以上のＳＰＥＣ温度センサからの測定値データを用いて計算される。ブロック７５８で、局所的ターゲット領域の内部の温度は、局所的ターゲット領域に結合される一つ以上のＬＰＥＣ温度センサからの測定値データを用いて計算される。ブロック７５６の計算は、ブロック７５８の計算の前に、後で、又はそれと実質上同時に、実行されることがある。
【００９１】
ブロック７６０で、ＬＰＥＣ及びＳＰＥＣに結合された少なくとも一つの処理ユニットを含む制御システムは、プロセッサ実行可能命令を実行するために使用され、一つ以上のＳＰＥＣ温度センサが約３２℃から約３７℃未満までの範囲内の平均温度を示すように、ＳＰＥＣによって身体の全身温度を調整させ、また、一つ以上のＬＰＥＣ温度センサが約３０℃より下の温度を示すように、ＬＰＥＣによって血液の温度をターゲット領域に制御させる。制御システムは、ＬＰＥＣポンプ及びＬＰＥＣ熱交換器での流量及び温度を、ＳＰＥＣポンプでの流量から独立して、設定するために、プログラムされる。
【００９２】
本明細書中の原理に従った任意の方法例では、制御システムは、身体の一部分の計算した温度が指定した所望の温度範囲よりも上（又は下）である場合に、ポンプ及び／又は熱交換器によって血液を冷却する割合を増加（又は減少）させるために、プログラムされる場合がある。制御システムは、身体の局所的ターゲット領域又は他の部分が所望の温度範囲の範囲内にあるという信号を受信すると直ぐに、ポンプ及び／又は熱交換器によって動作を中止させるために、プログラムされる場合がある。
【００９３】
本明細書中の原理に従った任意の方法例では、制御システムは、身体の領域の温度の所望の値と異なっている設定ポイント動作温度の上限及び設定ポイント動作温度の下限に基づいて、ポンプ及び／又は熱交換器によって血液を冷却する割合を増加（又は減少）させるために、プログラムされる場合がある。例えば、熱交換器の設定ポイント動作温度は、約１℃、約１．５℃、又は約２℃の値だけ、熱交換器に結合される身体の領域の温度の所望の値と異なっていることがある。制御システム例は、設定ポイント動作温度の上限又は設定ポイント動作温度の下限に達するまで、ポンプ及び／又は熱交換器によって動作させるために、プログラムされることがある。制御システム例は、身体の関心領域の温度が動作の範囲の他の極度までドリフトするまで、ポンプ及び／又は熱交換器によって動作を中止させるために、プログラムされることがある。
【００９４】
本明細書中の原理に従った任意の方法例では、制御システムは、本明細書で説明するように、ＬＰＥＣポンプ及びＬＰＥＣ熱交換器での流量及び温度を、ＳＰＥＣポンプでの流量から独立して、設定するために、プログラムされる場合がある。
【００９５】
方法例では、ＬＰＥＣ入力ポートは、左頸動脈、右頸動脈、左若しくは右内頸動脈、又は、それらの場所の一方の下流の動脈、のいずれかに接触するように配設される場合がある。方法は、局所的ターゲット領域に向かって流れないＬＰＥＣによって注入される血液の流れの割合を減らすために、或いは、ＬＰＥＣの注入される血液と混合する中核から血液の流れを制限するために、クランプ、閉塞、又は部分的に閉塞するための手段を使用することを更に含む場合がある。
【００９６】
例では、方法は、ＳＰＥＣによってＳＰＥＣポンプでの流量を約１．０Ｌ／ｍｉｎ〜約５．０Ｌ／ｍｉｎの範囲内の値に設定させるために、制御システムを使用することを含む場合がある。制御システムは、ＳＰＥＣが身体の全身温度を調整するために使用された後の約１２時間又は約２４時間の範囲内で、ＬＰＥＣによって血液の温度をターゲット領域に制御させるために、使用される場合もある。制御システムは、ＳＰＥＣによって血液の温度を増加させて、平均温度が約３２℃より下に下降するのを防止するために、使用される場合がある。
【００９７】
例では、方法は、ＬＰＥＣによってＬＰＥＣポンプでの流量を約１００ｍｌ／ｍｉｎ〜約５００ｍｌ／ｍｉｎの範囲内の値に設定させるために、制御システムを使用することを含む場合がある。制御システムは、ＬＰＥＣによって血液の温度を約１０℃〜約３０℃の範囲内の値まで冷却させるために、使用される場合がある。
【００９８】
図８は、局所的又は広域的な虚血性発作や循環損傷に苦しむ者の身体の少なくとも一部分の温度を制御するための本明細書中の原理に従った手順例を示す。非限定の例では、ＳＰＥＣは、ＥＣＭＯである。図８のバー８０２は、手順例のタイムラインを全体的に示しており、医療又は他の施設での個人の摂取後の手順中に実施される各技術の開始及び最後を示す。図８に示すように、タイムラインは、局所的又は広域的な虚血性発作や循環損傷の発生の時（Ｔ０）から測定され、時間Ｔ１での摂取及びＣＰＲがそれに続く。ＳＰＥＣは、時間Ｔ２で開始され、患者は、Ｔ３でカテーテル処置室に入り、ＬＰＥＣは、Ｔ４で開始される。ターゲット温度は、時間Ｔ５で達する。時間Ｔ６で、ＬＰＥＣは、中止され、ＳＰＥＣは、時間Ｔ７で中止される。バー８０２は、ＥＣＭＯ手順が、虚血性発作に苦しむ個人の摂取（バー８０８）の後の再灌流（バー８１０）と実質上同じ時間（Ｔ２）に開始される、ということを示している。それはまた、患者がショック非適応心停止であった場合でもあり、ＥＣＭＯは、心臓が機能を開始する前にオンにされ、次いで、ＥＣＭＯの血液の流れは、広域的灌流の回復であり、このように、ＥＣＭＯは、再灌流と同時に起こることはないが、ＥＣＭＯの開始は、再灌流を引き起こす。バー８０６は、再灌流期間及びＥＣＭＯの適用の間に、身体の局所的ターゲット領域を治療的低体温の温度範囲の中に導くための、ＬＰＥＣの使用の開始及び最後を示している。
【００９９】
図８に示すように、ＥＣＭＯは、治療的低体温が中止された後の或る時間の期間中、続けられる。図８は、個人が、実施されるべき局所的治療的低体温のために、カテーテル処置室を許可されることがあるということを示している。多くの医療又は他の施設は、個人がカテーテル処置室を許可され得る前に指定の評価（トリアージ）を必要とするために、適所にプロトコルを有することがある。その結果、治療的低体温の開始前に、時間的な追加の遅延が存在することがあり、局所的又は広域的な虚血性発作や循環損傷の後での組織損傷のリスクが増加する。本明細書中のシステム及び方法の例は、個人がカテーテル処置室を許可されることを必要とせずに、実施される場合があり、それによって組織損傷のリスクが軽減される。
【０１００】
本明細書中の非限定なシステム例を用いて、局所的又は広域的な虚血性発作や循環損傷に苦しむ者の身体の少なくとも一部分の温度を制御するための本明細書中の原理に従った非限定の手順例は、次のとおりである。早期の救急ステージでは、ＥＣＭＯサポートは、周辺に配置したループを用いて個人に適用され、膜型酸素供給部品及び熱交換器を備えた全身的灌流システム（「第一のループ」）を提供する。全身的灌流システムは、約１．０Ｌ／ｍｉｎ〜約５Ｌ／ｍｉｎに及ぶ流量で流れを引き起こすポンプで動作する場合がある。血液は、身体の領域を約３４＋／−２℃の温度の全身性低体温に入れる温度で注入されることがある。個人に結合される温度センサからのデータ測定値は、中核又は全身温度をモニタするために使用される。例えば、適切な温度センサは、膀胱、直腸温度センサ、又は他のセンサに結合されるセンサである場合がある。
【０１０１】
次の２４時間、好ましくは、約１２時間未満乃至約６時間未満、より好ましくは、できるだけ早く、独立した局所的灌流回路（「第二のループ」）は、身体に適用されて、治療的低体温のために血液を直接大脳又は脳の領域（身体の局所的ターゲット領域）の中に灌流する。注入部材は、左若しくは右総頸動脈、又は、左若しくは右内頸動脈のいずれかの中に配置される。第二のループのポンプは、正常な内頸動脈のそれ（即ち、約１００ｍｌ／ｍｉｎ〜約５００ｍｌ／ｍｉｎの値）に匹敵する流量を維持するために、動作する場合がある。局所的灌流回路は、少なくとも熱交換器を含む場合があり、注入される血液が１０℃から３０℃の範囲に冷却することができ、したがって、脳に局所的なセンサ（例えば、左又は右の鼻センサ）によって測定されるときの局所的ターゲット領域（脳）に向ける温度は、手術医、技術者、又は他の医療実務家によって選択される３０℃より下の治療的低体温範囲又は他の範囲の中に導かれる場合がある。
【０１０２】
第二のループの適用の開始により、局所的ターゲット領域の中に注入される血液は、正常温度の血液（３７℃）よりもかなり冷たくなる場合がある。血液が全身的流れの静脈側に戻るので、第二のループは、全身体系を冷却するのに貢献する場合もある。この理由のために、第二のループの動作の長期間を超えて、第一のループからの注入される血液の温度は、可能性を軽減するために、即ち、中核身体温度が望んでいない範囲の中に移動するのを防止するために、上向きに調整される場合がある。中核温度は、約３２℃〜約３４℃の軽い低体温範囲に保持される場合があり、或いは、第一のループの血液注入温度を調整することによって、約３５℃〜約３７℃の正常温度範囲に上昇される場合がある。図８は、ＬＰＥＣ温度プロファイル及びＳＰＥＣ温度プロファイル（温度対時間のグラフにプロットした）に関して非限定の動作シーケンス例を示している。図８は、ＳＰＥＣが３３℃に設定された段階１（ＳＰＥＣ動作中）の間、ＳＰＥＣが正常体温に設定されＬＰＥＣが３０℃に設定された段階２（ＳＰＥＣ及びＬＰＥＣ双方動作中）の間、及び、患者が正常体温に完全に回復した段階３（ＬＰＥＣオフ、ＳＰＥＣオン）の間、の温度プロファイルを示している。
【０１０３】
本明細書で規定されているような「最小限の動作シーケンス」は、図８の実施と関連する或るステップを含む。例えば、最小限の動作シーケンスは、次の五つのイベント、即ち、（Ｔ０）最初の患者イベント（心停止、卒中或いは他の虚血性又は循環性の損傷イベント）、（Ｔ２）本明細書で規定されているような周辺に配置したループを用いる第一のＳＰＥＣの流れ開始  、（Ｔ４）ＬＰＥＣの流れの開始、（Ｔ６）ＬＰＥＣの流れの終了、及び、（Ｔ７）ＳＰＥＣの流れの停止、を含む場合がある。
【０１０４】
非限定の最小限の動作シーケンス例は、段階１（ＳＰＥＣだけ）、段階２（ＳＰＥＣ及びＬＰＥＣ）、及び、段階３（ＬＰＥＣ完了後のＳＰＥＣだけ）の温度帯を設定する非限定の三つの段階で温度制御を実行することを含む場合がある。非限定の最小限の動作シーケンス例は、より複雑な温度制御段階の構成を含む場合がある。非限定の例として、温度帯は、設定される場合があり、したがって、段階１は、（ＬＰＥＣが開始する前に）ＳＰＥＣだけを設定し、段階２では、ＳＰＥＣは、約１時間の間、変化なしのままにされ、次いで、ＳＰＥＣは、制御された正常温度帯まで変化され、その一方、段階の最初の１２時間の間、ＬＰＥＣは、２８℃〜３０℃の寒冷帯に設定され、１時間当たり１℃で７時間の間制御した再加熱によって帯が正常温度（３５℃〜３７℃）になるまで続けられ、その後、段階３では、ＬＰＥＣの流れがなくなり、ＳＰＥＣは、正常体温に制御される。
【０１０５】
非限定の例では、三つの単純な段階を備えた最小限の動作シーケンスを実行するために、医者又はオペレータは、その段階で動作する場合にＳＰＥＣ及びＬＰＥＣの個々のために各段階の温度ターゲットを決定する。
【０１０６】
本明細書中の任意の例では、ＳＰＥＣ及び／又はＬＰＥＣの間の温度制御は、任意のパターンに従う場合がある。本明細書中の任意の例では、最小限の動作シーケンスに従った制御手順は、温度制御パターンを実装し、したがって、温度センサは、ターゲット領域温度値の指定のパターンに従った温度測定値を報告する。例えば、温度制御パターンは、加温の間隔、それに続く、冷却の間隔を含む場合がある。別の例として、温度制御パターンは、温度の任意の機能に従う場合がある。
【０１０７】
例として、より複雑なシーケンスは、（Ｔ０）最初の患者イベント（心停止、卒中或いは他の虚血性又は循環性の損傷イベント）、（Ｔ２）本明細書で規定されているような周辺に配置したループを用いる第一のＳＰＥＣ接続及び流れ開始、（Ｔ４）ＬＰＥＣ低体温の開始及び必要に応じてＳＰＥＣターゲット温度帯のスイッチ、（Ｔ６）ＬＰＥＣの終了、ＬＰＥＣの撤回、必要であればＳＰＥＣ温度帯の変更、（Ｔ７）ＳＰＥＣの停止、などの追加のイベントを含む場合がある。このより複雑な動作シーケンスは、段階１（ＳＰＥＣだけ）、段階２（ＳＰＥＣ及びＬＰＥＣ）、及び、段階３（ＬＰＥＣ完了後のＳＰＥＣ動作）、という少なくとも最小限の三つの温度制御段階を含む。より複雑な動作シーケンスを実行するために、医者又はオペレータは、その段階で動作する場合、ＳＰＥＣ及びＬＰＥＣの個々のために各段階の温度ターゲットを決定する。他の更に細かいデータポイントは、追加又は観察されることがあり、例えば、冷却は、瞬時ではなく、Ｔ４で開始の場合に局所的領域は、Ｔ４後の或る時間（図８のＴ５）にターゲット温度に達する場合があり、その時間は、ＬＰＥＣループの特定の流量及び注入温度、並びに、その間隔のＳＰＥＣループの中核温度及び設定、に依存することがある。最小限の動作シーケンスの他の非限定の拡張では、段階２（ＬＰＥＣの最後）の最後での温度の上昇は、制御された再加温の手順で行われることがあり、注入されるＬＰＥＣ血液温度は、１℃／時間又は２℃／時間又は０．１℃／時間、或いは、オペレータの選ぶかもしれない他の割合で、ＬＰＥＣセンサが正常体温の近くの領域に達するまで、ＬＰＥＣセンサ温度を上昇させるように変化される。この変形は、制御された再加温の最小限の段階２及び３間に第四の段階を追加したことであろう。最小限の動作シーケンスの他の非限定の拡張では、ＳＰＥＣ又はＬＰＥＣのいずれかの温度の下降は、制御された割合であることがある。最小限の動作シーケンスの他の非限定の拡張では、シーケンスの任意のポイントは、分割されることがあり、例えば、ＳＰＥＣ動作の開始は、ＳＰＥＣ流れの開始と、その後の時間のＳＰＥＣ冷却の開始に分割されることがある。
【０１０８】
第二のループが、同じく適用されている第一のループを欠いて適用される場合、全身体の温度は、第二のループの冷却負荷の下で下方にドリフトする場合がある。しかしながら、心臓の温度又は中核温度が約３２℃より下にドリフトすることは、望ましくなく、回避されるべきである。本明細書中のシステム及び方法例は、個人がカテーテル処置室に着く前ですら、全身性低体温及び心臓サポートが短いタイムラインで利用可能にさせる。本明細書中のシステム及び方法例を用いて、局所的灌流回路が局所的ターゲット領域（例、脳の中）を約３２℃より下の温度範囲まで冷却するために開始された後で、第一のループは、（温度センサの測定データに基づいて）正常体温レベル又は約３２℃より上にとどまるように、支援の酸素添加された血液を提供して中核温度を加温するために使用される場合がある。本明細書中のシステム例及び方法例の制御システムは、第一及び第二のループの独立した動作を可能にする。その結果、第二のループは、所望の期間（非限定の例として、約６時間、好ましくは、約１２時間）、加えて、更なる６〜１２時間の適切な再加温期間、の後で、取り外されることがある。第二のループの冷却負荷が、局所的ターゲット領域（例、脳の中）が再加温されるので、軽減されるが、第一のループの動作は、中核温度を安定させるために、続けられる場合がある。
【０１０９】
図９は、制御システムとして使用され得る本明細書で説明する原理に従った装置９００の非限定の例を示す。装置９００は、少なくとも一つの通信インターフェース９０２、少なくとも一つのメモリ９０４、及び、少なくとも一つの処理ユニット９０６を含む。少なくとも一つの処理ユニット９０６は、少なくとも一つの通信インターフェース９０２及び少なくとも一つのメモリ９０４と通信可能に接続される。
【０１１０】
少なくとも一つのメモリ９０４は、プロセッサ実行可能命令９０８と、少なくとも一つのエネルギ記憶アセットのためのアナライザ９１０と、を記憶するように構成される。下で一段と詳細に説明するように、アナライザ９１０は、一つ以上のＬＰＥＣ温度センサ及び／又は一つ以上のＳＰＥＣ温度センサの測定値からのデータ９１２に基づいて、身体の関心領域の温度パラメータを決定するために使用される。アナライザ９１０は、身体に接続された一つ以上のＳＰＥＣ温度センサからの測定値データを用いて、ＳＰＥＣによって灌流される身体の平均中核身体温度及び／又は平均体系温度を計算するために使用される場合がある。アナライザ９１０は、局所的ターゲット領域に接続された一つ以上のＬＰＥＣ温度センサからの測定値データを用いて、局所的ターゲット領域の範囲内の温度を計算するために使用される場合がある。
【０１１１】
非限定の例では、少なくとも一つの処理ユニット９０６は、メモリ９０４に記憶されているプロセッサ実行可能命令９０８を実行して、アナライザ９１０からの計算に基づいてＳＰＥＣ及び／又はＬＰＥＣのために信号をコントローラ９１４に少なくとも送信する。ＳＰＥＣ及び／又はＬＰＥＣのためにコントローラ９１４に送信される信号は、一つ以上のＳＰＥＣ温度センサが約３２℃から約３７℃未満までの範囲内の平均温度を示すように、ＳＰＥＣによって身体の全身温度を調整させるように、また、一つ以上のＬＰＥＣ温度センサが約３０℃より下の温度を示すように、ＬＰＥＣによって血液の温度をターゲット領域に制御させるように、構成されている。少なくとも一つの処理ユニット９０６は、プロセッサ実行可能命令９０８を実行する場合があり、通信インターフェース９０２を制御して、信号をコントローラ９１４に送信する、並びに／或いは、メモリ９０４を制御して、計算した温度データ及び／又はコントローラ９１４のための信号を記憶する。非限定の例では、処理ユニット９０６は、プロセッサ実行可能命令９０８を実行する場合があり、通信インターフェース９０２によって信号を、コントローラに、無線でコントローラ９１４に、送信させる。
【０１１２】
図１０は、本明細書中のシステム例の分散実装のために構成されたネットワーク環境１０００の例の図である。ネットワーク環境１０００は、一つ以上のサーバ１００５及び１００６を含む場合がある。理解されるであろうように、様々な分散型又は集中型の構成が実装されることがあり、例によっては、単一のサーバが使用される場合がある。ネットワーク環境は、サーバ１００５及び１００６に関連するデータベース１００９を含むこともある。例によっては、データベース１００９は、一つ以上のサーバ１００５及び１００６がモジュールを記憶できて図１Ａ〜８の任意に関して本明細書で説明するプロセッサのうちの一つ以上を実装できるが、測定値データ、アナライザ計算値、コントローラ信号データ等々を記憶する場合がある。ネットワーク環境は、電子デバイス１００３を含むこともあり、それは通信インターフェースの一部分を果たすために少なくとも一つのＧＵＩｓをユーザに表示するように構成される。電子デバイス１００３が一つ以上のサーバ１００５及び１００６から命令を一度受け取ると、ＧＵＩは、電子デバイス１００３上にレンダリングされることがあり、ユーザによってサーバと相互作用させて、本明細書で説明する原理に従った任意の方法例を実行する。
【０１１３】
システム例では、サーバ１００５及び１００６、データベース１００９、及び電子デバイス１００３は、通信ネットワーク１００１を介して相互に通信することがある。通信ネットワーク１００１は、それに限定されないが、インターネット、イントラネット、ＬＡＮ（ローカルエリアネットワーク）、ＷＡＮ（ワイドエリアネットワーク）、ＭＡＮ（メトロポリタンエリアネットワーク）、無線ネットワーク、光ネットワーク等々を含むことがある。システム例では、サーバ１００５及び１００６とデータベース１００９と通信する電子デバイス１００３は、情報をデータベース１００９に要求するデータベースクエリを生成及び送信する場合がある。一つ以上のサーバ１００５及び１００６は、通信ネットワーク１００１越しに、命令を電子デバイス１００３に送信する場合がある。サーバ１００５及び１００６は、通信ネットワーク１００１越しに、電子デバイス１００３及びデータベース１００９と相互作用する場合があり、ＧＵＩｓを電子デバイス１００３上にレンダリングする。
【０１１４】
図１１は、本明細書中の原理に従った最小限の動作シーケンスのための制御手順を実行するために使用され得る装置例１１００を示す。図１１の装置例１１００は、インターフェース１１０３を含むディスプレイ１１０２、ＳＰＥＣチラー／ウォーマ１１０４、ＬＰＥＣチラー／ウォーマ１１０５、少なくとも一つのＳＰＥＣセンサ１１０６、ＬＰＥＣセンサ１１０８及び１１１０、及び、ＬＰＥＣ血液ポンプ１１１２を含む。ディスプレイ例１１０２は、グラフィックユーザインターフェースをユーザに提供するために使用される場合があり、グラフィックユーザインターフェースは、制御手順のステップを実行するためにユーザから入力データを受け取るように、また、制御手順の実行に関連して出力データを提供するように、構成される。長いプロトコルの実行のために患者が動かされることのある、一般の「カテーテル処置室」、ハイブリッド手術室（ＯＲ）、又は、ＩＣＵでは、多くのデバイスが存在し、医療職員が、多くの同時の又は重複するタスクを実行することがある。以前から、幾つかの離散的ユニット及び幾つかの患者のケアに必要な動作／ステップを単純化することが非常に望まれている。本明細書中の原理に従った制御手順例は、（１）ＳＰＥＣループ中の血液熱交換器を駆動して注入されるＳＰＥＣ血液を制御するためのウォータ／チラー、（２）ＬＰＥＣループ中の血液熱交換器を変更又は駆動して注入されるＬＰＥＣ血液の温度を制御するためのウォータチラー／ヒータ、（３）少なくともＳＰＥＣセンサ及びＬＰＥＣセンサを読み取って記録するセンサインターフェース、（４）ＬＰＥＣセンサ温度及びＳＰＥＣセンサ温度と、ＬＰＥＣ注入される血液温度及びＳＰＥＣ注入される血液温度と、をオペレータに見せることのできる少なくともディスプレイ、及び、（５）オペレータがチラー温度を直接又は間接のいずれかで設定できるようにするインターフェース、を用いて実行される場合がある。
［コンピュータを使用する間接の手段］
装置例は、少なくともＳＰＥＣチラー／ウォーマ、ＬＰＥＣチラー／ウォーマ、少なくとも一つのセンサインターフェース（ＳＰＥＣセンサ及び／又はＬＰＥＣセンサと通信するための）、及び、最小限のユニタリオペレータコンソール（ＭＵＯＣ）としてのユーザインターフェースを含むディスプレイ、を含む単一の装置として構成される場合がある。例として、ＭＵＯＣは、本明細書で概説しているような手動制御手順に適用できる場合のあるＭｅｄｔｒｏｎｉｃ  Ｐｅｒｆｏｒｍｅｒ  ＣＰＢ（登録商標）体外式循環サポートシステム（メドトロニック株式会社、ミネソタ州ミネアポリス）などの標準心臓麻痺ポンプシステムに対する最小限の追加部として構成される場合がある。非限定のＭＵＯＣ例は、ＬＰＥＣを１００〜５００ｍｌ／ｍｉｎの範囲で駆動するためのポンプを含むこともある。非限定のＭＵＯＣ例は、半自動式制御手順を実行するために本明細書で規定されているようなユーザインターフェース及び計算デバイスを含む場合があり、したがって、動作の全ての段階では、温度帯は、装置において設定される場合があり、システムは、センサ温度が各段階中（本明細書で規定されているような最小限の動作シーケンスで規定される段階の意味の範囲内）にターゲットバウンドの外にドリフトする場合に、チラー温度を調整するためにオペレータに警告するであろう。非限定のＭＵＯＣへの拡張は、完全自動式制御手順を実行するために本明細書で規定されているようなユーザインターフェース及び計算デバイスを含む場合があり、したがって、動作の全ての段階では、温度帯は、装置において設定される場合があり、システムは、センサ温度が各段階中（本明細書で規定されているような最小限の動作シーケンスで規定される段階の意味の範囲内）にターゲットバウンドの外にドリフトする場合に、チラー温度を自動的に調整するであろう。
【０１１５】
本明細書で説明するシステム例の一つの態様は、医師、技術者及び他の実務家が、処置した患者の臨床利益のために二つの異なった制御された温度−時間プロファイルを身体の二つの異なった領域又はゾーンに適用する制御手順を適用すること、を可能にすることである。身体中核のゾーン及び局所的ターゲット組織ゾーン（例えば、脳）に適用されるようなそういった制御手順及び温度−時間プロファイルの一つの非限定の例は、図８の非限定の例でグラフ化されている。例は、三度の段階、段階１（ＬＰＥＣなしでＳＰＥＣ動作中）、段階２（ＳＰＥＣ及びＬＰＥＣ双方動作中）、及び、段階３（再度ＬＰＥＣなしでＳＰＥＣ動作中）に関して温度制御の設定を単純化させた。この例では、ＳＰＥＣは、最初（段階１）に設定されてＳＰＥＣセンサを約３３℃の温度帯に保持し、段階２では、ＳＰＥＣは、設定されて温度帯を正常体温（３５℃〜３７℃）に保持し、その一方、ＬＰＥＣは、設定されてＬＰＥＣセンサを約３０℃の温度帯に保持する。段階３では、ＬＰＥＣは、オフにされて、ＳＰＥＣは、設定されて制御された正常体温（３５℃〜３７℃）を保持する。図８の例は、臨床利益を提供し得る制御された低体温温度−時間プロファイルの特徴を例証しており、例えば、段階１は、冷却に基づく灌流と周辺に配置したループの使用があれば、幾らかの低体温を患者に迅速に若しくはできるだけ迅速に送達する。段階２、できるだけ早く開始して、たとえ適合性を決定して蛍光透視を備えたカテーテル処置室に着くために時間をより必要とすることがあっても、深めの低体温がそのときターゲット局所的領域に送達され、そのうえ、中核が正常体温に戻って中核の低体温の副作用及びリスクファクタが回避される。最後に段階３は、処置プロトコル全体の所望の最後まで、完全な身体、双方ゾーンを制御された正常体温状態に戻す。しかしながら、制御手順の更に細かい詳細は、有益であることもある。医者オペレータ、技術者又は他のオペレータは、冷却時間及び加温時間を制御することを欲することがある。例えば、ターゲットが段階１の始めに１℃に、１分で又は１０分で或いは１時間で達するために冷却の速度を制限又は設定すること。他の例では、ＳＰＥＣ制御プロファイルの段階１の最後又はＬＰＥＣ制御プロファイルの段階２の最後での再加温段階は、１時間又は３０分当たり１℃の制御された割合或いは医者オペレータによって望まれた幾つかの他の割合にする必要があることがある。更なる詳細は、人体が制御システムでは一定の負荷ではない、ということである。長年にわたり、分、時間、又は日のオーダで、人体は、血管（例えば、血管拡張及び血管収縮）の状態において及びそれ自体の熱エネルギ生成（例えば、震えは、それが始まると相当な熱を作り出すであろうし、睡眠又は低い意識状態は、筋肉及びニューラルマス当たり少ない熱を一般に作り出すであろう）において変化している。加えて、健康状態のために治療下の、おそらく合併症を持って同じく治療下の、患者は、任意の１２時間の期間にわたって多種多様の薬を受けることがあり、その全てが、ＳＰＥＣ及びＬＰＥＣの制御設定（注入される血液の流量及び温度）に対する組織温度に影響を与えることのある血管状態及び発熱に関して副作用を有する場合がある。ループ（ＳＰＥＣ又はＬＰＥＣ）の任意の一方のための任意の短時間の制御手順は、ループセンサ測定値を観察し、注入される血液温度及び／又は流量を調整して、ループセンサ測定値をそのターゲット値の近くに動かすための手順である。これは調整であり、表示された規則に人が従うことによって、又は、計算デバイス、コンピュータシステムによって、或いは、個人からの入力とコンピュータ相互作用の双方を組み合わせるハイブリッドシステムによって、原則行うことができる。そういった制御手順は、患者の小さな変化に対して注入される血液温度を調整するための技量を含む場合があるが、異常な介入又は患者の大きなバリアンス（例えば、二次薬物ボーラスからの卒中又は血管拡張のスパイク）の通知を必要とすることがあるアラーム状態を宣言するための少なくとも幾つかの技量を含む場合もある。
【０１１６】
制御手順に従ったプロトコルの時間的経過は、他の考慮すべき事柄を示す場合がある。治療的低体温のプロトコルは、一般に低体温を多くの時間（１２及び２４時間の期間は異常ではない）について適用して、多くの場合、長い１２時間や２４時間の再加温の期間を有する。制御手順は、それらの長期間にわたって動作する場合があり、その一方、温度を分で調整又はステップ送りでき、約１℃毎分〜約１０℃毎分のチラーの温度変化が可能である。熱交換器の幾つかのモデルでは、注入される血液の温度は、そのように速く又は同じ割合で変化する場合がある。その結果、ターゲット温度の小さく速い変化を安定させることは、コンピュータ駆動式制御サブシステムについて合理的に達成される場合がある（手動モードでの数時間の推移にわたって人が実行しそうでない）。
【０１１７】
完全な制御手順を実行して最小限の動作シーケンスをサポートするために、ＳＰＥＣ次いでＬＰＥＣを取り付けるステップは、確保されなければならず、適切な時間でのＳＰＥＣ中の流れ及びＬＰＥＣ中の流れが開始されなければならない。流れが一度開始されると、流量は、設定されて随時変化される場合がある。流れが各ループで一度開始されると、温度制御は、医者、技術者又は他の実務家によって望まれた温度対時間プロファイルを得るために、そのループで実行される。その温度−時間プロファイルは、許容可能と指定されたターゲット温度並びに温度帯（２７℃＋／−３℃）を有することがある。制御手順は、システムが、温度をその指定した温度帯に保持できない場合に、エラーを宣言するか又は介入を呼びかけることができるべきである。非限定の介入の例は、自動式であることもあり、或いは、特別な医者に診察を求めることを伴うこともある。非限定の介入の例は、ＳＰＥＣ及びＬＰＥＣの二つのループシステムのうちの変更であることもあり、或いは、ループカテーテルを通した又は静脈内の、薬物の投与であることもある。一つの可能な非限定の制御システムの実施では、ターゲット温度の達成は、チラー調整によって、注入される血液温度の自動調整を先ず実行することがあり、しかしながら、システムがその効果がないことを検出した場合、アラームが設定される場合があり、したがって、技術者又は他の実務家が動作コンソールから別個のコンソール（ポンプコンソール）に移動してループ中の流量を調整する場合がある。
【０１１８】
本明細書で説明するように、本明細書中のＭＵＯＣ例は、（１）ＳＰＥＣループ中の血液熱交換器を駆動して注入されるＳＰＥＣ血液を制御するためのウォータチラー／ウォーマ、（２）ＬＰＥＣループ中の血液熱交換器を変更又は駆動して注入されるＬＰＥＣ血液の温度を制御するためのウォータチラー／ヒータ、（３）少なくともＳＰＥＣセンサ及びＬＰＥＣセンサを読み取って記録するセンサインターフェース、（４）ＬＰＥＣセンサ温度及びＳＰＥＣセンサ温度と、ＬＰＥＣ注入した血液温度及びＳＰＥＣ注入した血液温度と、をオペレータに見せることのできる少なくともディスプレイ、及び、（５）オペレータがチラー温度を直接又は間接のいずれかで設定できるようにするインターフェース、を含む場合がある。チラー温度の設定は、個人によって直接又はコンピュータシステム若しくは他の計算デバイスを用いて間接のいずれかで達成される場合がある。直接の設定は、ユーザインターフェースへの入力としてのチラー命令のための温度のユーザタイピング、或いは、その水温を設定するためにコンソールのユーザインターフェースのコンピュータシステムをオーバーライドすること、を含む。「間接」は、非限定の例では、許容性の温度帯の指定の値と、その温度に到達するための指定の時間と、を備えて所望のターゲット温度を設定することを意味し、コンソールコンピュータシステムは、命令を実行し、チラー温度を制御して、その設定を達成する。更なる非限定の、温度を「間接」設定する例は、コンソールコンピュータシステムを設定し、命令を実行し、システムによって、制御された再加温ルーチンにおいて、ターゲットループセンサ測定値を、現測定値から３７℃まで、０．５℃毎時で、上昇させることである。更なる非限定の、間接の例は、性能をユーザに提供するためにプログラムされるコンピュータシステムを含み、この性能は、そのセンサ読み取りが、設定で示された許容可能な値の範囲の外側の値である場合に、アラーム帯を任意のセンサ読み取り周囲に設定すること、及び、ユーザの介入又は再設定を呼びかけるアラームを活動化させること、である。ＭＵＯＣの例は、全てのチラー温度を直接設定する性能を備えて構成される場合があり、少なくとも一つのコンピュータシステム動作ルーチンは、チラーの値又はコンソールが設定できるかもしれないそういった他の値の間接設定のために実行される場合がある。
【０１１９】
図１１は、本明細書で説明する原理に従った任意の方法例の実行中に使用され得る計算デバイス１２００の例のブロック図である。計算デバイス１２００は、本明細書で説明する原理に従った任意の方法例を実行するための一つ以上のコンピュータ実行可能命令（それに限定されないが、ソフトウェア又はファームウェアなど）を記憶するための一つ以上の非一時的なコンピュータ可読媒体を含む。非一時的なコンピュータ可読媒体は、それに限定されないが、一つ以上のタイプのハードウェアメモリ、非一時的な有形の媒体（例えば、一つ以上の磁気記憶ディスク、一つ以上の光学ディスク、一つ以上のＵＳＢフラッシュドライブ）等々を含む場合がある。例えば、計算デバイス１２００に含まれるメモリ１２０６は、本明細書で説明する方法を実行するためにプログラムされる、アナライザ１２３１及びコントローラ信号発生器１２３３などの、方法例を実行するためのコンピュータ可読及びコンピュータ実行可能命令若しくはソフトウェアを記憶する場合がある。計算デバイス１２００は、システムハードウェアを制御するための、メモリ１２０６に記憶されるコンピュータ可読若しくはコンピュータ実行可能命令又はソフトウェア、或いは、他のプログラム、を実行するために、プロセッサ１２０２及び関連するコア１２０４、任意選択で一つ以上の追加のプロセッサ１２０２’及び関連するコア１２０４’（例えば、複数のプロセッサ／コアを有するコンピュータシステムの場合）も含む。プロセッサ１２０２及びプロセッサ１２０２’は、それぞれ単一のコアプロセッサ又は複数のコア（１２０４及び１２０４’）プロセッサである場合がある。
【０１２０】
仮想化は、計算デバイス１２００において計算デバイスのインフラストラクチャ及びリソースが動的に共有できるように採用される場合がある。仮想マシン１２１４は、処理が複数の計算リソースではなくて一つの計算リソースだけを用いているように見えるように、マルチプロセッサで動いている処理を扱うために、提供される場合がある。複数の仮想マシンは、一つのプロセッサで用いることもできる。
【０１２１】
メモリ１２０６は、ＤＲＡＭ、ＳＲＡＭ、ＥＤＯ  ＲＡＭ等々のコンピュータシステムメモリ又はランダムアクセスメモリを含む非一時的なコンピュータ可読媒体である場合がある。メモリ１２０６は、他のタイプのメモリも同じく、或いは、それらの組み合わせを含む場合がある。
【０１２２】
ユーザは、本明細書中のシステム例に従って提供され得る一つ以上のユーザインターフェース１２２９を表示できるタッチスクリーンディスプレイ又はコンピュータモニタなどの視覚ディスプレイデバイス１２１８を通して計算デバイス１２００と相互作用することができる。計算デバイス３００は、ユーザからの入力を受け取るための他のＩ／Ｏデバイス、例えば、キーボード又は任意の適切なマルチポイントタッチインターフェース１２０８、ポインティングデバイス１２１０（例えば、ペン、スタイラス、マウス、又はトラックパッド）を含む場合がある。キーボード１２０８及びポインティングデバイス１２１０は、視覚ディスプレイデバイス１２１８に接続される場合がある。計算デバイス１２００は、他の適切な従来のＩ／Ｏ周辺機器を含む場合がある。様々な例では、視覚ディスプレイデバイス１２１８は、電子ペーパバッジ、Ｅインクデバイス、ＬＣＤバッジ、又は電子シェルフラベル（ＥＳＬ）タイプデバイスである場合がある。
【０１２３】
計算デバイス１２００は、本明細書で説明する原理に従った方法例及びシステム例又はそれらの部分を実施するユーザインターフェース１２２９を生成し得るアナライザ１２３１及びコントローラ信号発生器１２３３などの、データ及びコンピュータ可読命令及び／又はソフトウェアを記憶するためのハードドライブ、ＣＤ−ＲＯＭ、又は他の非一時的なコンピュータ可読媒体などの一つ以上の記憶デバイス１２２４も含む場合がある。記憶デバイス１２２４の例は、本明細書で説明する原理に従った方法及びシステムを実施するために必要とされる任意の適切な情報を記憶するための一つ以上のデータベース１２２６を記憶する場合もある。データベースは、データベース中の一つ以上の項目を追加、削除、又は更新するために、任意の適切な時間にユーザによって又は自動的に更新される場合がある。例示的な記憶デバイス１２２４は、本明細書で説明する任意のシステム例及び方法例を実施するために使用されるセンサ測定値データ、アナライザ計算結果、コントローラ信号データ、及び任意の他のデータ／情報を記憶するための一つ以上のデータベース１２２６を記憶する場合がある。
【０１２４】
計算デバイス１２００は、一つ以上のネットワークデバイス１２２２を介して、一つ以上のネットワーク（例えば、ローカルエリアネットワーク（ＬＡＮ）、ワイドエリアネットワーク（ＷＡＮ）、又は様々な接続を通したインターネット）とインターフェースをとるように構成されたネットワークインターフェース１２１２を含む場合がある。様々な接続としては、それらに限定されないが、標準電話回線、ＬＡＮリンク又はＷＡＮリンク（例えば、８０２．１１、Ｔ１、Ｔ３、１１６ｋｂ、Ｘ．２１１）、ブロードバンド接続（例えば、ＩＳＤＮ、フレームリレー、ＡＴＭ）、無線接続、コントローラエリアネットワーク（ＣＡＮ）、又は上の任意の若しくは全ての組み合わせの幾つか、を含む。ネットワークインターフェース１２１２は、内蔵ネットワークアダプタ、ネットワークインターフェースカード、ＰＣＭＣＩＡネットワークカード、カードバスネットワークアダプタ、無線ネットワークアダプタ、ＵＳＢネットワークアダプタ、モデム、或いは、計算デバイス１２００と、通信及び本明細書で説明する動作の実行が可能な任意のタイプのネットワークと、のインターフェースをとるのに適した任意の他のデバイス、を含む場合がある。更に、計算デバイス１２００は、ワークステーション、デスクトップコンピュータ、サーバ、ラップトップ、ハンドヘルドコンピュータ、タブレットコンピュータ（例えば、ｉＰａｄ（登録商標）タブレットコンピュータ）、モバイル計算又は通信デバイス（例えば、ｉＰｈｏｎｅ（登録商標）通信デバイス）、又は、通信が可能であり且つ本明細書で説明する動作を実行するために十分なプロセッサ電力とメモリ容量を有する他の形態の計算及び電気通信デバイス、などの任意のコンピュータシステムである場合がある。
【０１２５】
計算デバイス１２００は、任意のバージョンのＭｉｃｒｏｓｏｆｔ（登録商標）Ｗｉｎｄｏｗｓ（登録商標）オペレーティングシステム、異なったリリースのＵｎｉｘオペレーティングシステム及びＬｉｎｕｘ（登録商標）オペレーティングシステム、任意のバージョンのマッキントッシュコンピュータ用のＭａｃＯＳ（登録商標）、任意の組み込み型オペレーティングシステム、任意のリアルタイムオペレーティングシステム、任意のオープンソースオペレーティングシステム、任意の独自開発型オペレーティングシステム、モバイル計算デバイス用の任意のオペレーティングシステム、又は、計算デバイス上での実行及び本明細書で説明する動作の実行が可能な任意の他オペレーティングシステム、などの任意のオペレーティングシステム１２１６を実行するように構成される場合がある。例では、オペレーティングシステム１２１６は、ネイティブモード又はエミュレートモードで実行される場合がある。例では、オペレーティングシステム１２１６は、一つ以上のクラウドマシンインスタンス上で実行される場合がある。
【０１２６】
図１Ａ〜６の任意の一つ以上の例を含む本明細書中の原理に従った任意の例では、「計算デバイス」や「計算システム」は、制御手順を実行するためにプログラムされることがあり、手順例は、局所的及び全身温度をオペレータの決定した温度範囲の範囲内に移動及び保持する目的で、一つ以上のセンサ読み取りを観察してＳＰＥＣ及びＬＰＥＣの流量及び／又は注入される血液の温度設定を調整するために、採用される。そういった手順例は、それらに限定されないが、関係部位の血圧、血液化学データ、心拍、薬理学的操作（薬剤投与の量に基づくことを含む）の状況、或いは他の観察又は設定などの他の患者の観察を考慮に入れることもある。本明細書中の原理に従った制御手順例は、セットの命令或いはダイアル又はデジタル設定手段を変えるためにオペレータを訓練することによって手動で実行されることがあり、それによって、入力がセットの命令又は訓練に従って計算デバイス又はコンピュータシステムに提供され、計算デバイス又はコンピュータシステムによって手順が実行される。本明細書中の原理に従った他の制御手順例は、コンピュータシステム制御を用いて実行されることがあり、オペレータは、センサ温度（温度帯）のためのターゲット範囲を設定し、計算デバイス又はコンピュータシステムは、受け取った指示を実行して調整を実行し、ＳＰＥＣ及びＬＰＥＣによって、設定したターゲット温度範囲の範囲内にあるセンサ読み取りが達成される。本明細書中の原理に従った制御手順例は、幾つかのハイブリッド構成を実行するように構成されることがあり、例えば、オペレータは、ＳＰＥＣ及びＬＰＥＣの幾つかの設定を直接調整することがあり、それらの調整された設定を表す入力を受け取ることに基づいて、計算デバイス又はコンピュータシステムは、ＳＰＥＣ及びＬＰＥＣの他の設定を調整して所望の温度制御を達成することがある。本明細書中の原理に従った制御手順例は、オペレータからのオーバーライド信号及び／又は承認信号に対応するように構成される場合があり、したがって、オペレータは、計算デバイス又はコンピュータシステムの出力するコンピュータ提案の設定変更について、オーバーライドするために位置させられるか又は承認することを要求されることがある。
【０１２７】
図１Ａ〜６の任意の一つ以上の例を含む本明細書で説明する原理に従った二つのループシステムの利点は、ＳＰＥＣが、蛍光透視又はＸ線ガイダンスを必要としないアクセス、即ち、脈管構造の内部を流れる血液に接触する周辺に配置したループを用いるアクセス、によって実行されるので、カテーテル処置室又は適切な蛍光透視を備えた手術室へのアクセスを手配するより時間の掛かるステップ無しで、より速い若しくはより迅速な設定（それに限られないが救急室又はＥＲなど）で患者に適用することができる、ということである。それが意味することは、ＳＰＥＣを用いる全身レベルでの軽い低体温の最初の適用が、既存のシステム又は手順を用いて達成できるものよりも速くなる場合があり、唯一のＬＰＥＣを待つことが必要とされた場合に得られたであろうものよりも早めの低体温という幾つかの利点がもたらされる、ということである。図１Ａ〜６のいずれか一つ以上の例を含む本明細書で説明する原理に従った二つの独立したループの別の利点は、非同期的に適用することができ、それで、必要に応じてＬＰＥＣを開始してＬＰＥＣを中止するための手術医の特定の要望がＳＰＥＣループ性能及び患者サポートを危うくしない、ということである。
【０１２８】
結論
様々な本発明の実施形態については、本明細書で説明及び図示してきたが、当業者は、機能を実行するため、及び／又は、本明細書で説明する結果及び／又は一つ以上の利点を得るための様々な他の手段及び／又は構造を容易に想到するであろうし、そういった変形及び／又は修正のそれぞれは、本明細書で説明する本発明の実施形態の範囲の範囲内にあると考えられる。より一般的には、当業者は、本明細書で説明する全てのパラメータ、寸法、材料、及び構成が例示的であると意味されること、しかも、実際のパラメータ、寸法、材料、及び／又は構成が、本発明の教示が使用される特定の用途に依存するであろうこと、を容易に理解するであろう。当業者は、本明細書で説明する特定の本発明の実施形態に等価な多くのものを認識し又は単なる日常の実験を用いて確認することが可能であろう。したがって、理解すべきことは、先の実施形態が単に例として提供されていること、しかも、添付の特許請求の範囲及びその等価なものの範囲内で、本発明の実施形態が具体的に説明及び権利請求されたのとは別のやり方で実施できること、である。本開示の本発明の実施形態は、本明細書で説明する各個々の特徴、システム、物品、材料、キット、及び／又は方法に向けられている。加えて、二つ以上のそういった特徴、システム、物品、材料、キット、及び／又は方法の任意の組み合わせは、そういった特徴、システム、物品、材料、キット、及び／又は方法が相互に矛盾しない場合に、本開示の本発明の範囲の範囲内に含まれる。
【０１２９】
上で説明した本発明の実施形態については、多数のやり方のうちのどれででも実行することができる。例えば、幾つかの実施形態は、ハードウェア、ソフトウェア又はそれらの組み合わせを用いて実行されることがある。実施形態の任意の態様が少なくとも部分的にソフトウェアで実行されるとき、ソフトウェアコードは、任意の適切なプロセッサ上で又はプロセッサの集合体上で実行することができ、それは単一のコンピュータに提供されるか又は多数のコンピュータ間で分散されるかにかかわらない。
【０１３０】
この点に関して、本発明の様々な態様は、一つ以上のコンピュータ又は他のプロセッサ上で実行されるときに、上で論じた技術の様々な態様を実装する方法を実行する一つ以上のプログラムで符号化されたコンピュータ可読記憶媒体（又は複数のコンピュータ可読記憶媒体）（例えば、コンピュータメモリ、一つ以上のフロッピィディスク、コンパクトディスク、光ディスク、磁気テープ、フラッシュメモリ、フィールドプログラマブルゲートアレイ若しくは他の半導体デバイスの回路構成、或いは、他の有形のコンピュータ記憶媒体又は非一時的な媒体）として少なくとも部分的に具体化されることがある。コンピュータ可読媒体は、可搬型にされる場合があり、したがって、その上に記憶されたプログラムは、一つ以上の異なったコンピュータ又は他のプロセッサ上にロードされる場合があり、上で論じたような本技術の様々な態様を実行する。
【０１３１】
用語「プログラム」又は「ソフトウェア」は、本明細書では一般的な意味で使用され、任意のタイプのコンピュータコード又はセットのコンピュータ実行可能命令を指しており、コンピュータ又は他のプロセッサをプログラムして上で論じたような本技術の様々な態様を実行するために採用される場合がある。追加的に、理解すべきことは、この実施形態の一つの態様に従って、実行時に本技術の方法を実行する一つ以上のコンピュータプログラムが、単一のコンピュータ又はプロセッサ上に常駐する必要はないが、幾つかの異なったコンピュータ又はプロセッサ間にモジュール形式で分散させて、本技術の様々な態様を実行してもよい、ということである。
【０１３２】
コンピュータ実行可能命令は、一つ以上のコンピュータ又は他のデバイスによって実行される、プログラムモジュールなどの多くの形態にされることがある。一般に、プログラムモジュールは、特定のタスクを実行するか又は特定の抽象データタイプを実行する、ルーチン、プログラム、オブジェクト、コンポーネント、データ構造などを含む。典型的には、プログラムモジュールの機能は、様々な実施形態で要望通りに組み合わせても分散させてもよい。
【０１３３】
また、本明細書で説明する技術は、その少なくとも一つの例が提供されている方法として具体化されることがある。方法の一部として実行される動作は、任意の適切な方法で順序付けされることがある。したがって、実施形態は、構築されることがあり、動作が、図示とは異なる順序で実行され、たとえ図示実施形態で逐次動作として示されていても、幾つかの動作を同時に実行することを含むことがある。
【０１３４】
全ての定義は、本明細書で使用されるとき、辞書の定義、参照によって組み込まれる文書の定義、及び／又は、定義された用語の通常の意味を支配すると理解すべきである。
【０１３５】
不定冠詞「ａ」及び「ａｎ」は、本明細書及び特許請求の範囲で使用されるとき、別に示すことが明らかな場合を除いて、「少なくとも一つ」を意味すると理解すべきである。
【０１３６】
明細書及び特許請求の範囲において本明細書で使用されるような成句「及び／又は」は、そのように結合された要素、即ち、或る場合には結合的に存在し他の場合には離接的に存在する要素、のうちの「一方又は双方」を意味すると理解すべきである。「及び／又は」と共に列挙される複数の要素は、同じように、即ち、そのように結合された要素のうちの「一方又は双方」と解釈すべきである。他の要素は、任意選択で「及び／又は」の節によって特に識別される要素以外が存在してもよく、それは特に識別されたそれらの要素に関連するか又は関連しないかにかかわらない。このように、非限定の例として、「Ａ及び／又はＢ」の言及は、「含む（ｃｏｍｐｒｉｓｉｎｇ）」などのオープンエンドの言葉と関連して使用されるとき、一つの実施形態では、Ａだけ（任意選択でＢ以外の要素を含む）を、他の実施形態では、Ｂだけ（任意選択でＡ以外の要素を含む）を、更に別の実施形態では、Ａ及びＢの双方（任意選択で他の要素を含む）を、指す場合がある。
【０１３７】
明細書及び特許請求の範囲において本明細書で使用されるとき、「又は」については、上で規定したような「及び／又は」と同じ意味を有すると理解すべきである。例えば、列挙の項目を分けるときに、「又は」や「及び／又は」は、包括的なものであると、即ち、幾つかの要素又は列挙された要素のうちの少なくとも一つを含むだけでなく、一つより多くのものと任意選択で追加の非列挙の項目もまた含むと解釈するものとする。「のうちの一つだけ（ｏｎｌｙ  ｏｎｅ  ｏｆ）」や「のうちの正に一つ（ｅｘａｃｔｌｙ  ｏｎｅ  ｏｆ）」或いは、特許請求の範囲で使用されるときの「からなる（ｃｏｎｓｉｓｔｉｎｇ  ｏｆ）」などの、それに反することを明確に示す用語だけは、が使用されているときにのみ、幾つかの要素又は列挙された要素のうちの正に一つの要素を含むことを指すことになろう。一般に、本明細書で使用されるような用語「又は」は、「いずれか一方」、「のうちの一つ」、「のうちの一つだけ」、又は「のうちの正に一つ」などの排他性の用語に先行されるときに、排他的な選択肢（即ち、「一方又は他方であるが双方ではない」）を示すと解釈だけされるものとする。「から本質的になる（ｃｏｎｓｉｓｔｉｎｇ  ｅｓｓｅｎｔｉａｌｌｙ  ｏｆ）」は、特許請求の範囲で使用されるときに、特許法の分野で使用されるようなその通常の意味を有するものとする。
【０１３８】
明細書及び特許請求の範囲において本明細書で使用されるとき、一つ以上の要素の列挙に関連した成句「少なくとも一つ」は、要素の列挙の中の任意の一つ以上の要素から選択された少なくとも一つの要素を意味すること、しかしながら、必ずしも要素の列挙の範囲内で特に列挙されたあらゆる要素のうちの少なくとも一つを含む必要はないし、要素の列挙の中の要素の任意の組み合わせを除外しないこと、を理解すべきである。この定義により、成句「少なくとも一つ」が指す要素の列挙の範囲内で特に識別された要素以外が任意選択で存在することが同じく可能になるが、それは特に識別されたそれらの要素に関連するか又は関連しないかにかかわらない。このように、非限定的な例として、「Ａ及びＢのうちの少なくとも一つ」（或いは、等価に「Ａ又はＢのうちの少なくとも一つ」、又は、等価に「Ａ及び／又はＢのうちの少なくとも一つ」）は、一つの実施形態では、少なくとも一つ（任意選択で二つ以上）のＡを含み、Ｂが存在しない（任意選択でＢ以外の要素を含む）ことを、他の実施形態では、少なくとも一つ（任意選択で二つ以上）のＢを含み、Ａが存在しない（任意選択でＡ以外の要素を含む）ことを、更に別の実施形態では、少なくとも一つ（任意選択で二つ以上）のＡを含み、少なくとも一つ（任意選択で二つ以上）のＢを含む（任意選択で他の要素を含む）ことを、指す場合がある。
【０１３９】
特許請求の範囲並びに上の明細書において、「含む（ｃｏｍｐｒｉｓｉｎｇ）」、「含む（ｉｎｃｌｕｄｉｎｇ）」、「担持する（ｃａｒｒｙｉｎｇ）」、「有する（ｈａｖｉｎｇ）」、「包含する（ｃｏｎｔａｉｎｉｎｇ）」、「伴う（ｉｎｖｏｌｖｉｎｇ）」、「保持する（ｈｏｌｄｉｎｇ）」、「で構成される（ｃｏｍｐｏｓｅｄ  ｏｆ）」等々の全ての移行句は、オープンエンドであること、即ち、それに限定されないが含むことを意味すると理解すべきである。移行句「からなる」及び「から本質的になる」だけは、特許審査手続の米国特許審査便覧のセクション２１１１．０３に記載されているように、それぞれクローズド又はセミクローズドの移行句であるものとする。
【図１Ａ】
2020073041.tif 000003
【図１Ｂ】
2020073041.tif 000004
【図２Ａ】
2020073041.tif 000005
【図２Ｂ】
2020073041.tif 000006
【図３Ａ】
2020073041.tif 000007
【図３Ｂ】
2020073041.tif 000008
【図４】
2020073041.tif 000009
【図５】
2020073041.tif 000010
【図６】
2020073041.tif 000011
【図７Ａ】
2020073041.tif 000012
【図７Ｂ】
2020073041.tif 000013
【図８】
2020073041.tif 000014
【図９】
2020073041.tif 000015
【図１０】
2020073041.tif 000016
【図１１】
2020073041.tif 000017
【図１２】
2020073041.tif 000018
【手続補正書】
【提出日】令和2年3月5日(2020.3.5)
【手続補正１】
【補正対象書類名】特許請求の範囲
【補正対象項目名】全文
【補正方法】変更
【補正の内容】
【特許請求の範囲】
【請求項１】
身体の局所的ターゲット領域を灌流するための局所的灌流体外回路（ＬＰＥＣ）であって、
ＬＰＥＣ入力流れポートと、
ＬＰＥＣ出力流れポートであって、前記ＬＰＥＣ入力流れポート及び前記ＬＰＥＣ出力流れポートが前記身体の前記局所的ターゲット領域に至る脈管構造の内部を流れる血液に接触する、ＬＰＥＣ出力流れポートと、
ＬＰＥＣポンプと、
前記局所的灌流のために前記身体の前記局所的ターゲット領域に戻る前記血液の温度を制御するためのＬＰＥＣ熱交換器と、を含む局所的灌流体外回路（ＬＰＥＣ）と、
ＳＰＥＣ入力流れポートと、
ＳＰＥＣ出力流れポートであって、前記ＳＰＥＣ入力流れポート及び前記ＳＰＥＣ出力流れポートが周辺に配置したループを介して脈管構造の内部を流れる血液に接触する、ＳＰＥＣ出力流れポートと、
ＳＰＥＣポンプと、を含む全身的灌流体外回路（ＳＰＥＣ）と、
前記ＳＰＥＣによって灌流される前記身体の平均中核身体温度及び／又は平均体系温度を示すために、前記身体に結合される一つ以上のＳＰＥＣ温度センサと、
前記ターゲット領域の内部の温度を示すために、前記身体の前記局所的ターゲット領域に結合される一つ以上のＬＰＥＣ温度センサと、
前記ＳＰＥＣによって、前記ＳＰＥＣによって注入される前記血液の前記温度を制御させ、前記ＳＰＥＣ温度センサによって報告される温度測定値を調整させ、ターゲット中核身体温度範囲の範囲内にとどめさせること、また、
前記ＬＰＥＣによって、前記一つ以上のＬＰＥＣ温度センサが指定のターゲット領域温度値のパターンに従って温度測定値を報告するように、前記ターゲット領域に注入される前記血液の前記温度を制御させること、
を含む制御手順を実行するためにプログラムされる制御システムと、
を含むサポートを提供するためのシステム。
【請求項２】
前記指定のターゲット領域温度値のパターンは、制御された加温ルーチン、温度安定状態ルーチン、又は、温度値の帯、を含む、請求項１に記載のシステム。
【請求項３】
前記指定のターゲット領域温度値のパターンは、約１０℃から約３２℃の間の局所的ターゲット温度範囲内のＬＰＥＣ温度センサ測定値を指定する、請求項１に記載のシステム。
【請求項４】
前記指定のターゲット領域温度値のパターンは、前記ターゲット領域温度値を増やすための少なくとも一つの時間間隔の加温、それに続く、前記ターゲット領域温度値を減らすための少なくとも一つの時間間隔の冷却、を含む局所的ターゲット温度範囲内にある、請求項１に記載のシステム。
【請求項５】
前記制御システムは、プログラムされて、前記ＬＰＥＣによって、前記血液の前記温度を前記ターゲット領域に、自動的に又は手動入力に基づいて、制御させる、請求項１に記載のシステム。
【請求項６】
前記局所的ターゲット領域は、脳である、請求項１に記載のシステム。
【請求項７】
前記ＬＰＥＣ入力ポートは、左総頸動脈、右総頸動脈、又は、それらの場所の一方の下流の動脈、のいずれかに接触するように配設される、請求項１に記載のシステム。
【請求項８】
前記ＬＰＥＣは、前記局所的ターゲット領域に向かって流れない前記ＬＰＥＣによって注入される血液の流れの割合を減らすために、クランプ、閉塞、又は部分的に閉塞するための手段を更に含む、請求項１に記載のシステム。
【請求項９】
前記全身的灌流回路は、救急体外式膜型酸素供給法サポートである、請求項１に記載のシステム。
【請求項１０】
前記制御システムは、プログラムされて、前記ＳＰＥＣポンプでの流量を約１．０Ｌ／ｍｉｎ〜約５．０Ｌ／ｍｉｎの範囲内の値に設定する、請求項９に記載のシステム。
【請求項１１】
前記一つ以上のＳＰＥＣ温度センサは、膀胱温度センサ及び／又は直腸温度センサを含む、請求項１に記載のシステム。
【請求項１２】
前記制御システムは、プログラムされて、前記一つ以上のＳＰＥＣ温度センサの前記温度測定値及び／又は前記一つ以上のＳＰＥＣ温度センサの前記温度測定値が、前記制御手順に従って設定範囲の外側の温度値を示す場合に、アラーム表示を引き起こす、請求項１に記載のシステム。
【請求項１３】
前記制御システムは、更にプログラムされて、前記ＳＰＥＣによって、前記血液の前記温度を増加させて、前記平均温度が約３２℃より下に下降するのを防止する、請求項１に記載のシステム。
【請求項１４】
前記制御システムは、プログラムされて、前記ＬＰＥＣポンプでの流量を約１００ｍｌ／ｍｉｎ〜約５００ｍｌ／ｍｉｎの範囲内の値に設定する、請求項１に記載のシステム。
【請求項１５】
前記制御システムは、プログラムされて、前記ＬＰＥＣによって、前記血液の前記温度を約１０℃から約３０℃の範囲内の値まで冷却させる、請求項１に記載のシステム。
【請求項１６】
前記周辺に配置したループを介して前記脈管構造に戻る前記血液の前記温度を制御するためのＳＰＥＣ熱交換器を更に含み、前記制御システムは、プログラムされて、前記ＳＰＥＣ熱交換器での温度を前記ＬＰＥＣから独立して設定する、請求項１に記載のシステム。